(57)【要約】  新無線（ＮＲ）多入力多出力（ＭＩＭＯ）動作におけるタイプIIチャネル状態情報（ＣＳＩ）フィードバックのためのプリコーディング行列インジケータ（ＰＭＩ）フィードバックが説明される。様々な態様によると、ユーザ機器（ＵＥ）が、複数のＣＳＩフィードバックコンポーネントを決定し、プリコーディング行列インジケータ（ＰＭＩ）コンポーネントの特定のコンポーネント値に基づいて、これらのコンポーネントのうちの破棄されるもののセットを識別する。その後、ＵＥは、破棄されるフィードバックコンポーネントがどのように処理されるかを調整することによって、調整されたＣＳＩレポートを生成し得る。その後、結果として得られた調整されたＣＳＩレポートは、サービング基地局に送信され得る。【選択図】図５
2020526063.tif 000002
【特許請求の範囲】
【請求項１】
ワイヤレス通信の方法であって、
ユーザ機器（ＵＥ）によって、複数のチャネル状態情報（ＣＳＩ）フィードバックコンポーネントを決定することと、
前記ＵＥによって、前記複数のＣＳＩフィードバックコンポーネントのプリコーディング行列インジケータ（ＰＭＩ）コンポーネントのコンポーネント値に基づいて、前記複数のＣＳＩフィードバックコンポーネントのうちの破棄されるＣＳＩフィードバックコンポーネントのセットを識別することと、
前記ＵＥによって、調整されたＣＳＩレポートを生成すること、ここにおいて、前記調整されたＣＳＩレポートは、前記破棄されるＣＳＩフィードバックコンポーネントのセットに従って調整された前記複数のＣＳＩフィードバックコンポーネントを含む、と、
前記ＵＥによって、前記調整されたＣＳＩレポートをサービング基地局に送信することと、
を備える方法。
【請求項２】
前記ＰＭＩコンポーネントは、
ビームインジケーションプリコーディング行列インジケータ（ＰＭＩｂ）、
ワイドバンド振幅プリコーディング行列インジケータ（ＰＭＩｐ，ｗｂ）、
これらの組合せ
のうちの１つを含む、請求項１に記載の方法。
【請求項３】
前記破棄されるＣＳＩフィードバックコンポーネントのセットを前記識別することは、
前記ＰＭＩｂの前記コンポーネント値に対応する識別されたビームより大きい複数の利用可能なビームの各ビームの各偏波および各レイヤについての前記ＰＭＩｐ，ｗｂ、サブバンド振幅ＰＭＩ（ＰＭＩｐ，ｓｂ）、および位相ＰＭＩ（ＰＭＩｃ）を、前記破棄されるＣＳＩフィードバックコンポーネントのセットとして識別すること、または
前記複数の利用可能なビームの各々についてのドミナントビームインジケーションＰＭＩ（ＰＭＩｄ）、前記ＰＭＩｐ，ｗｂ、前記ＰＭＩｐ，ｓｂ、および前記ＰＭＩｃを、前記破棄されるＣＳＩフィードバックコンポーネントのセットとして識別すること、
のうちの１つを含む、請求項２に記載の方法。
【請求項４】
前記破棄されるＣＳＩフィードバックパラメータのセットを前記識別することは、
前記ＰＭＩｐ，ｗｂの前記コンポーネント値に対応する識別されたビームの各偏波および各レイヤについてのサブバンド振幅ＰＭＩ（ＰＭＩｐ，ｓｂ）および位相ＰＭＩ（ＰＭＩｃ）を、前記破棄されるＣＳＩフィードバックコンポーネントのセットとして識別すること
を含む、請求項２に記載の方法。
【請求項５】
前記ＵＥによって、前記ＰＭＩコンポーネントを、前記ＰＭＩｂまたは前記ＰＭＩｐ，ｗｂのうちの１つとして選択することをさらに含み、ここにおいて、前記選択することは、
所定の構成、
前記選択されたＰＭＩコンポーネントを有効にするためのトリガ信号、または
現在のＰＭＩコンポーネントを無効にし、前記選択されたＰＭＩコンポーネントを有効にするための修正信号、
のうちの１つに従って決定される、請求項２に記載の方法。
【請求項６】
前記調整されたＣＳＩレポートを前記生成することは、
調整されたＣＳＩコンポーネントのセットを生成することを含み、ここにおいて、前記調整されたＣＳＩコンポーネントのセットは、
前記破棄されるＣＳＩフィードバックコンポーネントのセットなしの前記複数のＣＳＩフィードバックコンポーネント、または
前記破棄されるＣＳＩフィードバックコンポーネントのセットが、前記破棄されるＣＳＩフィードバックコンポーネントのセットに関連付けられた固定コンポーネント値に置き換えられた、前記複数のＣＳＩフィードバックコンポーネント、
のうちの１つを含む、請求項２に記載の方法。
【請求項７】
前記調整されたＣＳＩレポートを前記生成することは、
前記調整されたＣＳＩコンポーネントのセットを、単一のパケット、２つのパケット、または３つのパケット、のうちの１つにジョイント符号化すること
をさらに含む、請求項６に記載の方法。
【請求項８】
前記調整されたＣＳＩコンポーネントのセットは、前記調整されたＣＳＩコンポーネントのセットが前記複数のＣＳＩフィードバックコンポーネントのうちの１つまたは複数を復号することに基づいて決定されるとき、前記破棄されるＣＳＩフィードバックコンポーネントのセットなしに生成され、
前記調整されたＣＳＩコンポーネントのセットは、前記調整されたＣＳＩコンポーネントのセットが前記復号することに基づいて決定されないとき、前記固定コンポーネント値を含む、
請求項７に記載の方法。
【請求項９】
前記調整されたＣＳＩコンポーネントのセットは、前記ＣＳＩコンポーネントのセットが前記単一のパケットにジョイント符号化されるとき、前記固定コンポーネント値を含む、請求項７に記載の方法。
【請求項１０】
前記ＣＳＩコンポーネントのセットは、２つのパケットにジョイント符号化されるとともに、ランクインジケータおよび前記ＰＭＩｂが、第１のパケットにジョイント符号化され、ドミナントビームＰＭＩ（ＰＭＩｄ）、前記ＰＭＩｐ，ｗｂ、振幅サブバンドＰＭＩ（ＰＭＩｐ，ｓｂ）、位相ＰＭＩ（ＰＭＩｃ）が、第２のパケットにおいてジョイント符号化され、
ここにおいて、
前記調整されたＣＳＩコンポーネントのセットは、前記ＰＭＩコンポーネントが前記ＰＭＩｐ，ｗｂに対応するとき、前記固定コンポーネント値を含む、または
前記調整されたＣＳＩコンポーネントのセットは、前記ＰＭＩコンポーネントがＰＭＩｂに対応するとき、前記破棄されるＣＳＩフィードバックコンポーネントのセットなしに生成される、
のうちの１つである、請求項７に記載の方法。
【請求項１１】
前記ＣＳＩコンポーネントのセットは、２つのパケットにジョイント符号化されるとともに、ランクインジケータ、前記ＰＭＩｂ、ドミナントビームＰＭＩ（ＰＭＩｄ）、および前記ＰＭＩｐ，ｗｂが、第１のパケットにジョイント符号化され、振幅サブバンドＰＭＩ（ＰＭＩｐ，ｓｂ）および位相ＰＭＩ（ＰＭＩｃ）が、第２のパケットにおいてジョイント符号化され、
前記ランクインジケータ、前記ＰＭＩｂ、前記ＰＭＩｄ、および前記ＰＭＩｐ，ｗｂは、前記ＰＭＩコンポーネントが前記ＰＭＩｂに対応するとき、前記破棄されるＣＳＩフィードバックコンポーネントのセットなしに前記第１のパケットにおいてジョイント符号化され、前記ＰＭＩｐ，ｓｂおよび前記ＰＭＩｃは、前記ＰＭＩコンポーネントが前記ＰＭＩｐ，ｗｂまたは前記ＰＭＩｂのうちの１つに対応するとき、前記破棄されるＣＳＩフィードバックコンポーネントのセットなしに前記第２のパケットにおいてジョイント符号化される、
請求項７に記載の方法。
【請求項１２】
前記ＣＳＩコンポーネントのセットは、３つのパケットにジョイント符号化されるとともに、ランクインジケータおよび前記ＰＭＩｂが、第１のパケットにジョイント符号化され、ドミナントビームＰＭＩ（ＰＭＩｄ）および前記ＰＭＩｐ，ｗｂが、第２のパケットにジョイント符号化され、振幅サブバンドＰＭＩ（ＰＭＩｐ，ｓｂ）および位相ＰＭＩ（ＰＭＩｃ）が、第３のパケットにおいてジョイント符号化され、
前記ＰＭＩコンポーネントが前記ＰＭＩｐ，ｗｂまたは前記ＰＭＩｂのうちの１つに対応するとき、前記ＰＭＩｄおよび前記ＰＭＩｐ，ｗｂは、前記破棄されるＣＳＩフィードバックコンポーネントのセットなしに前記第２のパケットにおいてジョイント符号化され、前記ＰＭＩｐ，ｓｂおよび前記ＰＭＩｃは、前記破棄されるＣＳＩフィードバックコンポーネントのセットなしに前記第３のパケットにおいてジョイント符号化される、
請求項７に記載の方法。
【請求項１３】
前記ＣＳＩコンポーネントのセットは、３つのパケットにジョイント符号化されるとともに、ランクインジケータが、第１のパケットに符号化され、前記ＰＭＩｂ、ドミナントビームＰＭＩ（ＰＭＩｄ）、および前記ＰＭＩｐ，ｗｂが、第２のパケットにジョイント符号化され、振幅サブバンドＰＭＩ（ＰＭＩｐ，ｓｂ）および位相ＰＭＩ（ＰＭＩｃ）が、第３のパケットにおいてジョイント符号化され、
前記ＰＭＩコンポーネントが前記ＰＭＩｐ，ｗｂまたは前記ＰＭＩｂのうちの１つに対応するとき、前記ランクインジケータは、前記第１のパケットにおいて符号化され、前記ＰＭＩｂ、前記ＰＭＩｄ、および前記ＰＭＩｐ，ｗｂは、前記第２のパケットにおいてジョイント符号化され、固定コンポーネント値に置き換えられ、前記ＰＭＩｐ，ｓｂおよび前記ＰＭＩｃは、前記破棄されるＣＳＩフィードバックコンポーネントのセットなしに前記第３のパケットにおいてジョイント符号化される、
請求項７に記載の方法。
【請求項１４】
前記調整されたＣＳＩコンポーネントのセットは、ＣＳＩ基準信号（ＣＳＩ−ＲＳ）リソースインジケータ（ＣＲＩ）を含み、
前記ＣＲＩは、前記単一のパケット、前記２つのパケット、または前記３つのパケット、のうちの前記１つの最初のパケットにおいてジョイント符号化される、
請求項７に記載の方法。
【請求項１５】
前記調整されたＣＳＩコンポーネントのセットは、チャネル品質インジケータ（ＣＱＩ）を含み、
前記ＣＱＩは、前記単一のパケット、前記２つのパケット、または前記３つのパケット、のうちの前記１つの最初のパケットまたは最後のパケットのうちの１つにジョイント符号化される、
請求項７に記載の方法。
【請求項１６】
前記複数のＣＳＩフィードバックコンポーネントは、
ランクインジケータ、
ビームインジケーションプリコーディング行列インジケータ（ＰＭＩｂ）、
ドミナントビームインジケーションＰＭＩ（ＰＭＩｄ）、
ワイドバンド振幅プリコーディング行列インジケータ（ＰＭＩｐ，ｗｂ）、
サブバンド振幅ＰＭＩ（ＰＭＩｐ，ｓｂ）、
各偏波についての位相ＰＭＩ（ＰＭＩｃ）、および
チャネル品質インジケータ（ＣＱＩ）
のうちの１つまたは複数を含む、請求項１に記載の方法。
【請求項１７】
請求項１〜１６の任意の組合せの方法。
【請求項１８】
ワイヤレス通信のために構成された装置であって、
ユーザ機器（ＵＥ）によって、複数のチャネル状態情報（ＣＳＩ）フィードバックコンポーネントを決定するための手段と、
前記ＵＥによって、前記複数のＣＳＩフィードバックコンポーネントのプリコーディング行列インジケータ（ＰＭＩ）コンポーネントのコンポーネント値に基づいて、前記複数のＣＳＩフィードバックコンポーネントのうちの破棄されるＣＳＩフィードバックコンポーネントのセットを識別するための手段と、
前記ＵＥによって、調整されたＣＳＩレポートを生成するための手段、ここにおいて、前記調整されたＣＳＩレポートは、前記破棄されるＣＳＩフィードバックコンポーネントのセットに従って調整された前記複数のＣＳＩフィードバックコンポーネントを含む、と、
前記ＵＥによって、前記調整されたＣＳＩレポートをサービング基地局に送信するための手段と、
を備える装置。
【請求項１９】
前記ＰＭＩコンポーネントは、
ビームインジケーションプリコーディング行列インジケータ（ＰＭＩｂ）、
ワイドバンド振幅プリコーディング行列インジケータ（ＰＭＩｐ，ｗｂ）、
これらの組合せ
のうちの１つを含む、請求項１８に記載の装置。
【請求項２０】
前記破棄されるＣＳＩフィードバックコンポーネントのセットを前記識別するための手段は、
前記ＰＭＩｂの前記コンポーネント値に対応する識別されたビームより大きい複数の利用可能なビームの各ビームの各偏波および各レイヤについての前記ＰＭＩｐ，ｗｂ、サブバンド振幅ＰＭＩ（ＰＭＩｐ，ｓｂ）、および位相ＰＭＩ（ＰＭＩｃ）を、前記破棄されるＣＳＩフィードバックコンポーネントのセットとして識別するための手段、または
前記複数の利用可能なビームの各々についてのドミナントビームインジケーションＰＭＩ（ＰＭＩｄ）、前記ＰＭＩｐ，ｗｂ、前記ＰＭＩｐ，ｓｂ、および前記ＰＭＩｃを、前記破棄されるＣＳＩフィードバックコンポーネントのセットとして識別するための手段、
のうちの１つを含む、請求項１９に記載の装置。
【請求項２１】
前記破棄されるＣＳＩフィードバックパラメータのセットを前記識別するための手段は、
前記ＰＭＩｐ，ｗｂの前記コンポーネント値に対応する識別されたビームの各偏波および各レイヤについてのサブバンド振幅ＰＭＩ（ＰＭＩｐ，ｓｂ）および位相ＰＭＩ（ＰＭＩｃ）を、前記破棄されるＣＳＩフィードバックコンポーネントのセットとして識別するための手段
を含む、請求項１９に記載の装置。
【請求項２２】
前記ＵＥによって、前記ＰＭＩコンポーネントを、前記ＰＭＩｂまたは前記ＰＭＩｐ，ｗｂのうちの１つとして選択するための手段をさらに含み、ここにおいて、前記選択するための手段は、
所定の構成、
前記選択されたＰＭＩコンポーネントを有効にするためのトリガ信号、または
現在のＰＭＩコンポーネントを無効にし、前記選択されたＰＭＩコンポーネントを有効にするための修正信号、
のうちの１つに従って決定される、請求項１９に記載の装置。
【請求項２３】
前記調整されたＣＳＩレポートを前記生成するための手段は、
調整されたＣＳＩコンポーネントのセットを生成するための手段を含み、ここにおいて、前記調整されたＣＳＩコンポーネントのセットは、
前記破棄されるＣＳＩフィードバックコンポーネントのセットなしの前記複数のＣＳＩフィードバックコンポーネント、または
前記破棄されるＣＳＩフィードバックコンポーネントのセットが、前記破棄されるＣＳＩフィードバックコンポーネントのセットに関連付けられた固定コンポーネント値に置き換えられた、前記複数のＣＳＩフィードバックコンポーネント、
のうちの１つを含む、請求項１９に記載の装置。
【請求項２４】
前記調整されたＣＳＩレポートを前記生成するための手段は、
前記調整されたＣＳＩコンポーネントのセットを、単一のパケット、２つのパケット、または３つのパケット、のうちの１つにジョイント符号化するための手段
をさらに含む、請求項２３に記載の装置。
【請求項２５】
前記調整されたＣＳＩコンポーネントのセットは、前記調整されたＣＳＩコンポーネントのセットが前記複数のＣＳＩフィードバックコンポーネントのうちの１つまたは複数を復号することに基づいて決定されるとき、前記破棄されるＣＳＩフィードバックコンポーネントのセットなしに生成され、
前記調整されたＣＳＩコンポーネントのセットは、前記調整されたＣＳＩコンポーネントのセットが前記復号することに基づいて決定されないとき、前記固定コンポーネント値を含む、
請求項２４に記載の装置。
【請求項２６】
前記調整されたＣＳＩコンポーネントのセットは、前記ＣＳＩコンポーネントのセットが前記単一のパケットにジョイント符号化されるとき、前記固定コンポーネント値を含む、請求項２４に記載の装置。
【請求項２７】
前記ＣＳＩコンポーネントのセットは、２つのパケットにジョイント符号化されるとともに、ランクインジケータおよび前記ＰＭＩｂが、第１のパケットにジョイント符号化され、ドミナントビームＰＭＩ（ＰＭＩｄ）、前記ＰＭＩｐ，ｗｂ、振幅サブバンドＰＭＩ（ＰＭＩｐ，ｓｂ）、位相ＰＭＩ（ＰＭＩｃ）が、第２のパケットにおいてジョイント符号化され、
ここにおいて、
前記調整されたＣＳＩコンポーネントのセットは、前記ＰＭＩコンポーネントが前記ＰＭＩｐ，ｗｂに対応するとき、前記固定コンポーネント値を含む、または
前記調整されたＣＳＩコンポーネントのセットは、前記ＰＭＩコンポーネントがＰＭＩｂに対応するとき、前記破棄されるＣＳＩフィードバックコンポーネントのセットなしに生成される、
のうちの１つである、請求項２４に記載の装置。
【請求項２８】
前記ＣＳＩコンポーネントのセットは、２つのパケットにジョイント符号化されるとともに、ランクインジケータ、前記ＰＭＩｂ、ドミナントビームＰＭＩ（ＰＭＩｄ）、および前記ＰＭＩｐ，ｗｂが、第１のパケットにジョイント符号化され、振幅サブバンドＰＭＩ（ＰＭＩｐ，ｓｂ）および位相ＰＭＩ（ＰＭＩｃ）が、第２のパケットにおいてジョイント符号化され、
前記ランクインジケータ、前記ＰＭＩｂ、前記ＰＭＩｄ、および前記ＰＭＩｐ，ｗｂは、前記ＰＭＩコンポーネントが前記ＰＭＩｂに対応するとき、前記破棄されるＣＳＩフィードバックコンポーネントのセットなしに前記第１のパケットにおいてジョイント符号化され、前記ＰＭＩｐ，ｓｂおよび前記ＰＭＩｃは、前記ＰＭＩコンポーネントが前記ＰＭＩｐ，ｗｂまたは前記ＰＭＩｂのうちの１つに対応するとき、前記破棄されるＣＳＩフィードバックコンポーネントのセットなしに前記第２のパケットにおいてジョイント符号化される、
請求項２４に記載の装置。
【請求項２９】
前記ＣＳＩコンポーネントのセットは、３つのパケットにジョイント符号化されるとともに、ランクインジケータおよび前記ＰＭＩｂが、第１のパケットにジョイント符号化され、ドミナントビームＰＭＩ（ＰＭＩｄ）および前記ＰＭＩｐ，ｗｂが、第２のパケットにジョイント符号化され、振幅サブバンドＰＭＩ（ＰＭＩｐ，ｓｂ）および位相ＰＭＩ（ＰＭＩｃ）が、第３のパケットにおいてジョイント符号化され、
前記ＰＭＩコンポーネントが前記ＰＭＩｐ，ｗｂまたは前記ＰＭＩｂのうちの１つに対応するとき、前記ＰＭＩｄおよび前記ＰＭＩｐ，ｗｂは、前記破棄されるＣＳＩフィードバックコンポーネントのセットなしに前記第２のパケットにおいてジョイント符号化され、前記ＰＭＩｐ，ｓｂおよび前記ＰＭＩｃは、前記破棄されるＣＳＩフィードバックコンポーネントのセットなしに前記第３のパケットにおいてジョイント符号化される、
請求項２４に記載の装置。
【請求項３０】
前記ＣＳＩコンポーネントのセットは、３つのパケットにジョイント符号化されるとともに、ランクインジケータが、第１のパケットに符号化され、前記ＰＭＩｂ、ドミナントビームＰＭＩ（ＰＭＩｄ）、および前記ＰＭＩｐ，ｗｂが、第２のパケットにジョイント符号化され、振幅サブバンドＰＭＩ（ＰＭＩｐ，ｓｂ）および位相ＰＭＩ（ＰＭＩｃ）が、第３のパケットにおいてジョイント符号化され、
前記ＰＭＩコンポーネントが前記ＰＭＩｐ，ｗｂまたは前記ＰＭＩｂのうちの１つに対応するとき、前記ランクインジケータは、前記第１のパケットにおいて符号化され、前記ＰＭＩｂ、前記ＰＭＩｄ、および前記ＰＭＩｐ，ｗｂは、前記第２のパケットにおいてジョイント符号化され、固定コンポーネント値に置き換えられ、前記ＰＭＩｐ，ｓｂおよび前記ＰＭＩｃは、前記破棄されるＣＳＩフィードバックコンポーネントのセットなしに前記第３のパケットにおいてジョイント符号化される、
請求項２４に記載の装置。
【請求項３１】
前記調整されたＣＳＩコンポーネントのセットは、ＣＳＩ基準信号（ＣＳＩ−ＲＳ）リソースインジケータ（ＣＲＩ）を含み、
前記ＣＲＩは、前記単一のパケット、前記２つのパケット、または前記３つのパケット、のうちの前記１つの最初のパケットにおいてジョイント符号化される、
請求項２４に記載の装置。
【請求項３２】
前記調整されたＣＳＩコンポーネントのセットは、チャネル品質インジケータ（ＣＱＩ）を含み、
前記ＣＱＩは、前記単一のパケット、前記２つのパケット、または前記３つのパケット、のうちの前記１つの最初のパケットまたは最後のパケットのうちの１つにジョイント符号化される、
請求項２４に記載の装置。
【請求項３３】
前記複数のＣＳＩフィードバックコンポーネントは、
ランクインジケータ、
ビームインジケーションプリコーディング行列インジケータ（ＰＭＩｂ）、
ドミナントビームインジケーションＰＭＩ（ＰＭＩｄ）、
ワイドバンド振幅プリコーディング行列インジケータ（ＰＭＩｐ，ｗｂ）、
サブバンド振幅ＰＭＩ（ＰＭＩｐ，ｓｂ）、
各偏波についての位相ＰＭＩ（ＰＭＩｃ）、および
チャネル品質インジケータ（ＣＱＩ）
のうちの１つまたは複数を含む、請求項１８に記載の装置。
【請求項３４】
請求項１８〜３３の任意の組合せの装置。
【請求項３５】
プログラムコードを記録した非一時的なコンピュータ可読媒体であって、前記プログラムコードは、
コンピュータに、ユーザ機器（ＵＥ）によって、複数のチャネル状態情報（ＣＳＩ）フィードバックコンポーネントを決定することを行わせるための、前記コンピュータによって実行可能なプログラムコードと、
前記コンピュータに、前記ＵＥによって、前記複数のＣＳＩフィードバックコンポーネントのプリコーディング行列インジケータ（ＰＭＩ）コンポーネントのコンポーネント値に基づいて、前記複数のＣＳＩフィードバックコンポーネントのうちの破棄されるＣＳＩフィードバックコンポーネントのセットを識別することを行わせるための、前記コンピュータによって実行可能なプログラムコードと、
前記コンピュータに、前記ＵＥによって、調整されたＣＳＩレポートを生成することを行わせるための、前記コンピュータによって実行可能なプログラムコード、ここにおいて、前記調整されたＣＳＩレポートは、前記破棄されるＣＳＩフィードバックコンポーネントのセットに従って調整された前記複数のＣＳＩフィードバックコンポーネントを含む、と、
前記コンピュータに、前記ＵＥによって、前記調整されたＣＳＩレポートをサービング基地局に送信することを行わせるための、前記コンピュータによって実行可能なプログラムコードと、
を備える、非一時的なコンピュータ可読媒体。
【請求項３６】
前記ＰＭＩコンポーネントは、
ビームインジケーションプリコーディング行列インジケータ（ＰＭＩｂ）、
ワイドバンド振幅プリコーディング行列インジケータ（ＰＭＩｐ，ｗｂ）、
これらの組合せ
のうちの１つを含む、請求項３５に記載の非一時的なコンピュータ可読媒体。
【請求項３７】
前記コンピュータに、前記破棄されるＣＳＩフィードバックコンポーネントのセットを識別することを行わせるための、前記コンピュータによって実行可能な前記プログラムコードは、
前記コンピュータに、前記ＰＭＩｂの前記コンポーネント値に対応する識別されたビームより大きい複数の利用可能なビームの各ビームの各偏波および各レイヤについての前記ＰＭＩｐ，ｗｂ、サブバンド振幅ＰＭＩ（ＰＭＩｐ，ｓｂ）、および位相ＰＭＩ（ＰＭＩｃ）を、前記破棄されるＣＳＩフィードバックコンポーネントのセットとして識別することを行わせるための、前記コンピュータによって実行可能なプログラムコード、または
前記コンピュータに、前記複数の利用可能なビームの各々についてのドミナントビームインジケーションＰＭＩ（ＰＭＩｄ）、前記ＰＭＩｐ，ｗｂ、前記ＰＭＩｐ，ｓｂ、および前記ＰＭＩｃを、前記破棄されるＣＳＩフィードバックコンポーネントのセットとして識別することを行わせるための、前記コンピュータによって実行可能なプログラムコード、
のうちの１つを含む、請求項３６に記載の非一時的なコンピュータ可読媒体。
【請求項３８】
前記コンピュータに、前記破棄されるＣＳＩフィードバックパラメータのセットを識別することを行わせるための、前記コンピュータによって実行可能な前記プログラムコードは、
前記コンピュータに、前記ＰＭＩｐ，ｗｂの前記コンポーネント値に対応する識別されたビームの各偏波および各レイヤについてのサブバンド振幅ＰＭＩ（ＰＭＩｐ，ｓｂ）および位相ＰＭＩ（ＰＭＩｃ）を、前記破棄されるＣＳＩフィードバックコンポーネントのセットとして識別することを行わせるための、前記コンピュータによって実行可能なプログラムコード
を含む、請求項３６に記載の非一時的なコンピュータ可読媒体。
【請求項３９】
前記コンピュータに、前記ＵＥによって、前記ＰＭＩコンポーネントを、前記ＰＭＩｂまたは前記ＰＭＩｐ，ｗｂのうちの１つとして選択することを行わせるための、前記コンピュータによって実行可能なプログラムコードさらに含み、ここにおいて、前記コンピュータに選択することを行わせるための、前記コンピュータによって実行可能な前記プログラムコードは、
所定の構成、
前記選択されたＰＭＩコンポーネントを有効にするためのトリガ信号、または
現在のＰＭＩコンポーネントを無効にし、前記選択されたＰＭＩコンポーネントを有効にするための修正信号、
のうちの１つに従って決定される、請求項３６に記載の非一時的なコンピュータ可読媒体。
【請求項４０】
前記コンピュータに、前記調整されたＣＳＩレポートを生成することを行わせるための、前記コンピュータによって実行可能な前記プログラムコードは、
前記コンピュータに、調整されたＣＳＩコンポーネントのセットを生成することを行わせるための、前記コンピュータによって実行可能なプログラムコードを含み、ここにおいて、前記調整されたＣＳＩコンポーネントのセットは、
前記破棄されるＣＳＩフィードバックコンポーネントのセットなしの前記複数のＣＳＩフィードバックコンポーネント、または
前記破棄されるＣＳＩフィードバックコンポーネントのセットが、前記破棄されるＣＳＩフィードバックコンポーネントのセットに関連付けられた固定コンポーネント値に置き換えられた、前記複数のＣＳＩフィードバックコンポーネント、
のうちの１つを含む、請求項３６に記載の非一時的なコンピュータ可読媒体。
【請求項４１】
前記コンピュータに、前記調整されたＣＳＩレポートを生成することを行わせるための、前記コンピュータによって実行可能な前記プログラムコードは、
前記コンピュータに、前記調整されたＣＳＩコンポーネントのセットを、単一のパケット、２つのパケット、または３つのパケット、のうちの１つにジョイント符号化することを行わせるための、前記コンピュータによって実行可能なプログラムコード
をさらに含む、請求項４０に記載の非一時的なコンピュータ可読媒体。
【請求項４２】
前記調整されたＣＳＩコンポーネントのセットは、前記調整されたＣＳＩコンポーネントのセットが前記複数のＣＳＩフィードバックコンポーネントのうちの１つまたは複数を復号することに基づいて決定されるとき、前記破棄されるＣＳＩフィードバックコンポーネントのセットなしに生成され、
前記調整されたＣＳＩコンポーネントのセットは、前記調整されたＣＳＩコンポーネントのセットが前記復号することに基づいて決定されないとき、前記固定コンポーネント値を含む、
請求項４１に記載の非一時的なコンピュータ可読媒体。
【請求項４３】
前記調整されたＣＳＩコンポーネントのセットは、前記ＣＳＩコンポーネントのセットが前記単一のパケットにジョイント符号化されるとき、前記固定コンポーネント値を含む、請求項４１に記載の非一時的なコンピュータ可読媒体。
【請求項４４】
前記ＣＳＩコンポーネントのセットは、２つのパケットにジョイント符号化されるとともに、ランクインジケータおよび前記ＰＭＩｂが、第１のパケットにジョイント符号化され、ドミナントビームＰＭＩ（ＰＭＩｄ）、前記ＰＭＩｐ，ｗｂ、振幅サブバンドＰＭＩ（ＰＭＩｐ，ｓｂ）、位相ＰＭＩ（ＰＭＩｃ）が、第２のパケットにおいてジョイント符号化され、
ここにおいて、
前記調整されたＣＳＩコンポーネントのセットは、前記ＰＭＩコンポーネントが前記ＰＭＩｐ，ｗｂに対応するとき、前記固定コンポーネント値を含む、または
前記調整されたＣＳＩコンポーネントのセットは、前記ＰＭＩコンポーネントがＰＭＩｂに対応するとき、前記破棄されるＣＳＩフィードバックコンポーネントのセットなしに生成される、
のうちの１つである、請求項４１に記載の非一時的なコンピュータ可読媒体。
【請求項４５】
前記ＣＳＩコンポーネントのセットは、２つのパケットにジョイント符号化されるとともに、ランクインジケータ、前記ＰＭＩｂ、ドミナントビームＰＭＩ（ＰＭＩｄ）、および前記ＰＭＩｐ，ｗｂが、第１のパケットにジョイント符号化され、振幅サブバンドＰＭＩ（ＰＭＩｐ，ｓｂ）および位相ＰＭＩ（ＰＭＩｃ）が、第２のパケットにおいてジョイント符号化され、
前記ランクインジケータ、前記ＰＭＩｂ、前記ＰＭＩｄ、および前記ＰＭＩｐ，ｗｂは、前記ＰＭＩコンポーネントが前記ＰＭＩｂに対応するとき、前記破棄されるＣＳＩフィードバックコンポーネントのセットなしに前記第１のパケットにおいてジョイント符号化され、前記ＰＭＩｐ，ｓｂおよび前記ＰＭＩｃは、前記ＰＭＩコンポーネントが前記ＰＭＩｐ，ｗｂまたは前記ＰＭＩｂのうちの１つに対応するとき、前記破棄されるＣＳＩフィードバックコンポーネントのセットなしに前記第２のパケットにおいてジョイント符号化される、
請求項４１に記載の非一時的なコンピュータ可読媒体。
【請求項４６】
前記ＣＳＩコンポーネントのセットは、３つのパケットにジョイント符号化されるとともに、ランクインジケータおよび前記ＰＭＩｂが、第１のパケットにジョイント符号化され、ドミナントビームＰＭＩ（ＰＭＩｄ）および前記ＰＭＩｐ，ｗｂが、第２のパケットにジョイント符号化され、振幅サブバンドＰＭＩ（ＰＭＩｐ，ｓｂ）および位相ＰＭＩ（ＰＭＩｃ）が、第３のパケットにおいてジョイント符号化され、
前記ＰＭＩコンポーネントが前記ＰＭＩｐ，ｗｂまたは前記ＰＭＩｂのうちの１つに対応するとき、前記ＰＭＩｄおよび前記ＰＭＩｐ，ｗｂは、前記破棄されるＣＳＩフィードバックコンポーネントのセットなしに前記第２のパケットにおいてジョイント符号化され、前記ＰＭＩｐ，ｓｂおよび前記ＰＭＩｃは、前記破棄されるＣＳＩフィードバックコンポーネントのセットなしに前記第３のパケットにおいてジョイント符号化される、
請求項４１に記載の非一時的なコンピュータ可読媒体。
【請求項４７】
前記ＣＳＩコンポーネントのセットは、３つのパケットにジョイント符号化されるとともに、ランクインジケータが、第１のパケットに符号化され、前記ＰＭＩｂ、ドミナントビームＰＭＩ（ＰＭＩｄ）、および前記ＰＭＩｐ，ｗｂが、第２のパケットにジョイント符号化され、振幅サブバンドＰＭＩ（ＰＭＩｐ，ｓｂ）および位相ＰＭＩ（ＰＭＩｃ）が、第３のパケットにおいてジョイント符号化され、
前記ＰＭＩコンポーネントが前記ＰＭＩｐ，ｗｂまたは前記ＰＭＩｂのうちの１つに対応するとき、前記ランクインジケータは、前記第１のパケットにおいて符号化され、前記ＰＭＩｂ、前記ＰＭＩｄ、および前記ＰＭＩｐ，ｗｂは、前記第２のパケットにおいてジョイント符号化され、固定コンポーネント値に置き換えられ、前記ＰＭＩｐ，ｓｂおよび前記ＰＭＩｃは、前記破棄されるＣＳＩフィードバックコンポーネントのセットなしに前記第３のパケットにおいてジョイント符号化される、
請求項４１に記載の非一時的なコンピュータ可読媒体。
【請求項４８】
前記調整されたＣＳＩコンポーネントのセットは、ＣＳＩ基準信号（ＣＳＩ−ＲＳ）リソースインジケータ（ＣＲＩ）を含み、
前記ＣＲＩは、前記単一のパケット、前記２つのパケット、または前記３つのパケット、のうちの前記１つの最初のパケットにおいてジョイント符号化される、
請求項４１に記載の非一時的なコンピュータ可読媒体。
【請求項４９】
前記調整されたＣＳＩコンポーネントのセットは、チャネル品質インジケータ（ＣＱＩ）を含み、
前記ＣＱＩは、前記単一のパケット、前記２つのパケット、または前記３つのパケット、のうちの前記１つの最初のパケットまたは最後のパケットのうちの１つにジョイント符号化される、
請求項４１に記載の非一時的なコンピュータ可読媒体。
【請求項５０】
前記複数のＣＳＩフィードバックコンポーネントは、
ランクインジケータ、
ビームインジケーションプリコーディング行列インジケータ（ＰＭＩｂ）、
ドミナントビームインジケーションＰＭＩ（ＰＭＩｄ）、
ワイドバンド振幅プリコーディング行列インジケータ（ＰＭＩｐ，ｗｂ）、
サブバンド振幅ＰＭＩ（ＰＭＩｐ，ｓｂ）、
各偏波についての位相ＰＭＩ（ＰＭＩｃ）、および
チャネル品質インジケータ（ＣＱＩ）
のうちの１つまたは複数を含む、請求項３５に記載の非一時的なコンピュータ可読媒体。
【請求項５１】
請求項３５〜５０の任意の組合せの非一時的なコンピュータ可読媒体。
【請求項５２】
ワイヤレス通信のために構成された装置であって、前記装置は、
少なくとも１つのプロセッサと、
前記少なくとも１つのプロセッサに結合されたメモリと
を備え、ここにおいて、前記少なくとも１つのプロセッサは、
ユーザ機器（ＵＥ）によって、複数のチャネル状態情報（ＣＳＩ）フィードバックコンポーネントを決定することと、
前記ＵＥによって、前記複数のＣＳＩフィードバックコンポーネントのプリコーディング行列インジケータ（ＰＭＩ）コンポーネントのコンポーネント値に基づいて、前記複数のＣＳＩフィードバックコンポーネントのうちの破棄されるＣＳＩフィードバックコンポーネントのセットを識別することと、
前記ＵＥによって、調整されたＣＳＩレポートを生成すること、ここにおいて、前記調整されたＣＳＩレポートは、前記破棄されるＣＳＩフィードバックコンポーネントのセットに従って調整された前記複数のＣＳＩフィードバックコンポーネントを含む、と、
前記ＵＥによって、前記調整されたＣＳＩレポートをサービング基地局に送信することと
を行うように構成される、装置。
【請求項５３】
前記ＰＭＩコンポーネントは、
ビームインジケーションプリコーディング行列インジケータ（ＰＭＩｂ）、
ワイドバンド振幅プリコーディング行列インジケータ（ＰＭＩｐ，ｗｂ）、
これらの組合せ
のうちの１つを含む、請求項５２に記載の装置。
【請求項５４】
前記破棄されるＣＳＩフィードバックコンポーネントのセットを識別するための前記少なくとも１つのプロセッサの前記構成は、
前記ＰＭＩｂの前記コンポーネント値に対応する識別されたビームより大きい複数の利用可能なビームの各ビームの各偏波および各レイヤについての前記ＰＭＩｐ，ｗｂ、サブバンド振幅ＰＭＩ（ＰＭＩｐ，ｓｂ）、および位相ＰＭＩ（ＰＭＩｃ）を、前記破棄されるＣＳＩフィードバックコンポーネントのセットとして識別すること、または
前記複数の利用可能なビームの各々についてのドミナントビームインジケーションＰＭＩ（ＰＭＩｄ）、前記ＰＭＩｐ，ｗｂ、前記ＰＭＩｐ，ｓｂ、および前記ＰＭＩｃを、前記破棄されるＣＳＩフィードバックコンポーネントのセットとして識別すること、
のうちの１つを行うための前記少なくとも１つのプロセッサの構成を含む、請求項５３に記載の装置。
【請求項５５】
前記破棄されるＣＳＩフィードバックパラメータのセットを識別するための前記少なくとも１つのプロセッサの前記構成は、前記ＰＭＩｐ，ｗｂの前記コンポーネント値に対応する識別されたビームの各偏波および各レイヤについてのサブバンド振幅ＰＭＩ（ＰＭＩｐ，ｓｂ）および位相ＰＭＩ（ＰＭＩｃ）を、前記破棄されるＣＳＩフィードバックコンポーネントのセットとして識別するための構成を含む、請求項５３に記載の装置。
【請求項５６】
前記ＵＥによって、前記ＰＭＩコンポーネントを、前記ＰＭＩｂまたは前記ＰＭＩｐ，ｗｂのうちの１つとして選択するための前記少なくとも１つのプロセッサの構成をさらに含み、ここにおいて、選択するための前記少なくとも１つのプロセッサの前記構成は、
所定の構成、
前記選択されたＰＭＩコンポーネントを有効にするためのトリガ信号、または
現在のＰＭＩコンポーネントを無効にし、前記選択されたＰＭＩコンポーネントを有効にするための修正信号、
のうちの１つに従って決定される、請求項５３に記載の装置。
【請求項５７】
前記調整されたＣＳＩレポートを生成するための前記少なくとも１つのプロセッサの前記構成は、調整されたＣＳＩコンポーネントのセットを生成するための構成を含み、ここにおいて、前記調整されたＣＳＩコンポーネントのセットは、
前記破棄されるＣＳＩフィードバックコンポーネントのセットなしの前記複数のＣＳＩフィードバックコンポーネント、または
前記破棄されるＣＳＩフィードバックコンポーネントのセットが、前記破棄されるＣＳＩフィードバックコンポーネントのセットに関連付けられた固定コンポーネント値に置き換えられた、前記複数のＣＳＩフィードバックコンポーネント、
のうちの１つを含む、請求項５３に記載の装置。
【請求項５８】
前記調整されたＣＳＩレポートを生成するための前記少なくとも１つのプロセッサの前記構成は、前記調整されたＣＳＩコンポーネントのセットを、単一のパケット、２つのパケット、または３つのパケット、のうちの１つにジョイント符号化するための構成をさらに含む、請求項５７に記載の装置。
【請求項５９】
前記調整されたＣＳＩコンポーネントのセットは、前記調整されたＣＳＩコンポーネントのセットが前記複数のＣＳＩフィードバックコンポーネントのうちの１つまたは複数を復号することに基づいて決定されるとき、前記破棄されるＣＳＩフィードバックコンポーネントのセットなしに生成され、
前記調整されたＣＳＩコンポーネントのセットは、前記調整されたＣＳＩコンポーネントのセットが前記復号することに基づいて決定されないとき、前記固定コンポーネント値を含む、
請求項５８に記載の装置。
【請求項６０】
前記調整されたＣＳＩコンポーネントのセットは、前記ＣＳＩコンポーネントのセットが前記単一のパケットにジョイント符号化されるとき、前記固定コンポーネント値を含む、請求項５８に記載の装置。
【請求項６１】
前記ＣＳＩコンポーネントのセットは、２つのパケットにジョイント符号化されるとともに、ランクインジケータおよび前記ＰＭＩｂが、第１のパケットにジョイント符号化され、ドミナントビームＰＭＩ（ＰＭＩｄ）、前記ＰＭＩｐ，ｗｂ、振幅サブバンドＰＭＩ（ＰＭＩｐ，ｓｂ）、位相ＰＭＩ（ＰＭＩｃ）が、第２のパケットにおいてジョイント符号化され、
ここにおいて、
前記調整されたＣＳＩコンポーネントのセットは、前記ＰＭＩコンポーネントが前記ＰＭＩｐ，ｗｂに対応するとき、前記固定コンポーネント値を含む、または
前記調整されたＣＳＩコンポーネントのセットは、前記ＰＭＩコンポーネントがＰＭＩｂに対応するとき、前記破棄されるＣＳＩフィードバックコンポーネントのセットなしに生成される、
のうちの１つである、請求項５８に記載の装置。
【請求項６２】
前記ＣＳＩコンポーネントのセットは、２つのパケットにジョイント符号化されるとともに、ランクインジケータ、前記ＰＭＩｂ、ドミナントビームＰＭＩ（ＰＭＩｄ）、および前記ＰＭＩｐ，ｗｂが、第１のパケットにジョイント符号化され、振幅サブバンドＰＭＩ（ＰＭＩｐ，ｓｂ）および位相ＰＭＩ（ＰＭＩｃ）が、第２のパケットにおいてジョイント符号化され、
前記ランクインジケータ、前記ＰＭＩｂ、前記ＰＭＩｄ、および前記ＰＭＩｐ，ｗｂは、前記ＰＭＩコンポーネントが前記ＰＭＩｂに対応するとき、前記破棄されるＣＳＩフィードバックコンポーネントのセットなしに前記第１のパケットにおいてジョイント符号化され、前記ＰＭＩｐ，ｓｂおよび前記ＰＭＩｃは、前記ＰＭＩコンポーネントが前記ＰＭＩｐ，ｗｂまたは前記ＰＭＩｂのうちの１つに対応するとき、前記破棄されるＣＳＩフィードバックコンポーネントのセットなしに前記第２のパケットにおいてジョイント符号化される、
請求項５８に記載の装置。
【請求項６３】
前記ＣＳＩコンポーネントのセットは、３つのパケットにジョイント符号化されるとともに、ランクインジケータおよび前記ＰＭＩｂが、第１のパケットにジョイント符号化され、ドミナントビームＰＭＩ（ＰＭＩｄ）および前記ＰＭＩｐ，ｗｂが、第２のパケットにジョイント符号化され、振幅サブバンドＰＭＩ（ＰＭＩｐ，ｓｂ）および位相ＰＭＩ（ＰＭＩｃ）が、第３のパケットにおいてジョイント符号化され、
前記ＰＭＩコンポーネントが前記ＰＭＩｐ，ｗｂまたは前記ＰＭＩｂのうちの１つに対応するとき、前記ＰＭＩｄおよび前記ＰＭＩｐ，ｗｂは、前記破棄されるＣＳＩフィードバックコンポーネントのセットなしに前記第２のパケットにおいてジョイント符号化され、前記ＰＭＩｐ，ｓｂおよび前記ＰＭＩｃは、前記破棄されるＣＳＩフィードバックコンポーネントのセットなしに前記第３のパケットにおいてジョイント符号化される、
請求項５８に記載の装置。
【請求項６４】
前記ＣＳＩコンポーネントのセットは、３つのパケットにジョイント符号化されるとともに、ランクインジケータが、第１のパケットに符号化され、前記ＰＭＩｂ、ドミナントビームＰＭＩ（ＰＭＩｄ）、および前記ＰＭＩｐ，ｗｂが、第２のパケットにジョイント符号化され、振幅サブバンドＰＭＩ（ＰＭＩｐ，ｓｂ）および位相ＰＭＩ（ＰＭＩｃ）が、第３のパケットにおいてジョイント符号化され、
前記ＰＭＩコンポーネントが前記ＰＭＩｐ，ｗｂまたは前記ＰＭＩｂのうちの１つに対応するとき、前記ランクインジケータは、前記第１のパケットにおいて符号化され、前記ＰＭＩｂ、前記ＰＭＩｄ、および前記ＰＭＩｐ，ｗｂは、前記第２のパケットにおいてジョイント符号化され、固定コンポーネント値に置き換えられ、前記ＰＭＩｐ，ｓｂおよび前記ＰＭＩｃは、前記破棄されるＣＳＩフィードバックコンポーネントのセットなしに前記第３のパケットにおいてジョイント符号化される、
請求項５８に記載の装置。
【請求項６５】
前記調整されたＣＳＩコンポーネントのセットは、ＣＳＩ基準信号（ＣＳＩ−ＲＳ）リソースインジケータ（ＣＲＩ）を含み、
前記ＣＲＩは、前記単一のパケット、前記２つのパケット、または前記３つのパケット、のうちの前記１つの最初のパケットにおいてジョイント符号化される、
請求項５８に記載の装置。
【請求項６６】
前記調整されたＣＳＩコンポーネントのセットは、チャネル品質インジケータ（ＣＱＩ）を含み、
前記ＣＱＩは、前記単一のパケット、前記２つのパケット、または前記３つのパケット、のうちの前記１つの最初のパケットまたは最後のパケットのうちの１つにジョイント符号化される、
請求項５８に記載の装置。
【請求項６７】
前記複数のＣＳＩフィードバックコンポーネントは、
ランクインジケータ、
ビームインジケーションプリコーディング行列インジケータ（ＰＭＩｂ）、
ドミナントビームインジケーションＰＭＩ（ＰＭＩｄ）、
ワイドバンド振幅プリコーディング行列インジケータ（ＰＭＩｐ，ｗｂ）、
サブバンド振幅ＰＭＩ（ＰＭＩｐ，ｓｂ）、
各偏波についての位相ＰＭＩ（ＰＭＩｃ）、および
チャネル品質インジケータ（ＣＱＩ）
のうちの１つまたは複数を含む、請求項５２に記載の装置。
【請求項６８】
請求項５２〜６７の任意の組合せの装置。
【発明の詳細な説明】
【技術分野】
【０００１】
[0001]本開示の態様は、一般にワイヤレス通信システムに関し、より詳細には、新無線（ＮＲ：new radio）多入力多出力（ＭＩＭＯ）動作におけるタイプIIチャネル状態情報（ＣＳＩ）フィードバックのためのプリコーディング行列インジケータ（ＰＭＩ）フィードバックに関する。
【背景技術】
【０００２】
[0002]ワイヤレス通信ネットワークは、音声、ビデオ、パケットデータ、メッセージング、ブロードキャスト、および同様のものなどの様々な通信サービスを提供するために広く展開されている。これらのワイヤレスネットワークは、利用可能なネットワークリソースを共有することによって、複数のユーザをサポートすることが可能な多元接続ネットワークであり得る。通常は多元接続ネットワークであるこのようなネットワークは、利用可能なネットワークリソースを共有することによって、複数のユーザのための通信をサポートする。このようなネットワークの一例が、ユニバーサル地上無線アクセスネットワーク（ＵＴＲＡＮ）である。ＵＴＲＡＮは、第３世代パートナーシッププロジェクト（３ＧＰＰ（登録商標））によってサポートされる第３世代（３Ｇ）モバイル電話技術である、ユニバーサルモバイルテレコミュニケーションズシステム（ＵＭＴＳ）の一部として定義された無線アクセスネットワーク（ＲＡＮ）である。多元接続ネットワークフォーマットの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００３】
[0003]ワイヤレス通信ネットワークは、いくつかのユーザ機器（ＵＥ）のための通信をサポートし得るいくつかの基地局またはノードＢを含み得る。ＵＥは、ダウンリンクおよびアップリンクを介して基地局と通信し得る。ダウンリンク（すなわち、順方向リンク）は、基地局からＵＥへの通信リンクを指し、アップリンク（すなわち、逆方向リンク）は、ＵＥから基地局への通信リンクを指す。
【０００４】
[0004]基地局は、ＵＥにダウンリンク上でデータおよび制御情報を送信し得、および／またはＵＥからアップリンク上でデータおよび制御情報を受信し得る。ダウンリンク上では、基地局からの送信は、ネイバー基地局からの送信、または他のワイヤレス無線周波数（ＲＦ）送信機からの送信による干渉に遭遇し得る。アップリンク上では、ＵＥからの送信は、ネイバー基地局と通信している他のＵＥのアップリンク送信からの干渉、または他のワイヤレスＲＦ送信機からの干渉に遭遇し得る。この干渉は、ダウンリンクとアップリンクの両方で性能を劣化させ得る。
【０００５】
[0005]モバイルブロードバンドアクセスに対する需要が増加し続けるにつれて、より多くのＵＥが長距離ワイヤレス通信ネットワークにアクセスし、より多くの短距離ワイヤレスシステムがコミュニティにおいて展開されるようになるとともに、干渉および輻輳したネットワークの可能性が増大する。モバイルブロードバンドアクセスに対する増大する需要を満たすためだけでなく、モバイル通信のユーザエクスペリエンスを進化および向上させるためにも、ワイヤレス技術を進化させる研究および開発が続けられている。
【発明の概要】
【０００６】
[0006]本開示の一態様では、ワイヤレス通信の方法が、ＵＥによって、複数のチャネル状態情報（ＣＳＩ）フィードバックコンポーネントを決定することと、ＵＥによって、複数のＣＳＩフィードバックコンポーネントのプリコーディング行列インジケータ（ＰＭＩ）コンポーネントのコンポーネント値に基づいて、複数のＣＳＩフィードバックコンポーネントのうちの破棄されるＣＳＩフィードバックコンポーネントのセットを識別することと、ＵＥによって、調整されたＣＳＩレポートを生成すること、ここにおいて、調整されたＣＳＩレポートは、破棄されるＣＳＩフィードバックコンポーネントのセットに従って調整された複数のＣＳＩフィードバックコンポーネントを含む、と、ＵＥによって、調整されたＣＳＩレポートをサービング基地局に送信することと、を含む。
【０００７】
[0007]本開示の追加の態様では、ワイヤレス通信のために構成された装置が、ＵＥによって、複数のＣＳＩフィードバックコンポーネントを決定するための手段と、ＵＥによって、複数のＣＳＩフィードバックコンポーネントのＰＭＩコンポーネントのコンポーネント値に基づいて、複数のＣＳＩフィードバックコンポーネントのうちの破棄されるＣＳＩフィードバックコンポーネントのセットを識別することと、ＵＥによって、調整されたＣＳＩレポートを生成するための手段、ここにおいて、調整されたＣＳＩレポートは、破棄されるＣＳＩフィードバックコンポーネントのセットに従って調整された複数のＣＳＩフィードバックコンポーネントを含む、と、ＵＥによって、調整されたＣＳＩレポートをサービング基地局に送信するための手段と、を含む。
【０００８】
[0008]本開示の追加の態様では、非一時的なコンピュータ可読媒体が、その上に記録されたプログラムコードを有する。プログラムコードは、ＵＥによって、複数のＣＳＩフィードバックコンポーネントを決定するためのコードと、ＵＥによって、複数のＣＳＩフィードバックコンポーネントのＰＭＩコンポーネントのコンポーネント値に基づいて、複数のＣＳＩフィードバックコンポーネントのうちの破棄されるＣＳＩフィードバックコンポーネントのセットを識別するためのコードと、ＵＥによって、調整されたＣＳＩレポートを生成するためのコード、ここにおいて、調整されたＣＳＩレポートは、破棄されるＣＳＩフィードバックコンポーネントのセットに従って調整された複数のＣＳＩフィードバックコンポーネントを含む、と、ＵＥによって、調整されたＣＳＩレポートをサービング基地局に送信するためのコードと、をさらに含む。
【０００９】
[0009]本開示の追加の態様では、ワイヤレス通信のために構成された装置が開示される。装置は、少なくとも１つプロセッサと、このプロセッサに結合されたメモリとを含む。プロセッサは、ＵＥによって、複数のＣＳＩフィードバックコンポーネントを決定することと、ＵＥによって、複数のＣＳＩフィードバックコンポーネントのＰＭＩコンポーネントのコンポーネント値に基づいて、複数のＣＳＩフィードバックコンポーネントのうちの破棄されるＣＳＩフィードバックコンポーネントのセットを識別することと、ＵＥによって、調整されたＣＳＩレポートを生成すること、ここにおいて、調整されたＣＳＩレポートは、破棄されるＣＳＩフィードバックコンポーネントのセットに従って調整された複数のＣＳＩフィードバックコンポーネントを含む、と、ＵＥによって、調整されたＣＳＩレポートをサービング基地局に送信することと、を行うように構成される。
【００１０】
[0010]前述は、以下の詳細な説明がより良く理解され得るように、本開示による例の特徴および技術的利点をどちらかと言えば広く概説している。追加の特徴および利点が以下で説明される。開示される概念および特定の例は、本開示と同じ目的を実行するための他の構造を修正または設計するための基礎として容易に利用され得る。このような同等の構造は、添付の特許請求の範囲の範囲から逸脱しない。本明細書で開示される概念の特性は、関連する利点とともに、それらの編成および動作の方法の両方について、添付の図面に関連して考慮されるとき、以下の説明からより良く理解されるであろう。図面の各々は、特許請求の範囲の限定の定義としてではなく、例示および説明を目的として提供される。
【図面の簡単な説明】
【００１１】
[0011]本開示の性質および利点のさらなる理解が、以下の図面を参照することによって実現され得る。添付の図面では、同様のコンポーネントまたは特徴は、同じ参照ラベルを有し得る。さらに、同じタイプの様々なコンポーネントは、参照ラベルの後に、ダッシュと、同様のコンポーネント同士を区別する第２のラベルとを続けることによって区別され得る。第１の参照ラベルのみが本明細書において使用される場合、その説明は、第２の参照ラベルにかかわらず、同じ第１の参照ラベルを有する同様のコンポーネントのうちの任意の１つに適用可能である。
【図１】[0012]図１は、ワイヤレス通信システムの詳細を例示するブロック図である。
【図２】[0013]図２は、本開示の一態様に従って構成された基地局およびＵＥの設計を例示するブロック図である。
【図３】[0014]図３は、指向性ワイヤレスビームを使用する基地局を含むワイヤレス通信システムを例示するブロック図である。
【図４】[0015]図４は、本開示の一態様をインプリメントするために実行される、例となるブロックを例示するブロック図である。
【図５】[0016]図５は、本開示の一態様に従って構成されたＵＥを例示するブロック図である。
【図６】[0017]図６は、本開示の一態様に従って構成されたＵＥを例示するブロック図である。
【図７Ａ】[0018]図７Ａは、本開示の態様に従って構成されたＵＥを例示するブロック図である。
【図７Ｂ】[0018]図７Ｂは、本開示の態様に従って構成されたＵＥを例示するブロック図である。
【図７Ｃ】[0018]図７Ｃは、本開示の態様に従って構成されたＵＥを例示するブロック図である。
【図８】[0019]図８は、本開示の態様に従って構成された例となるＵＥを例示するブロック図である。
【００１２】
[0020]付録は、本開示の様々な実施形態に関するさらなる詳細を提供し、その中での主題は、本願明細書の一部を形成する。
【詳細な説明】
【００１３】
[0021]添付の図面および付録に関連して以下に示す詳細な説明は、様々な構成の説明として意図され、本開示の範囲を限定するようには意図されない。むしろ、詳細な説明は、本発明の主題の完全な理解を提供することを目的とした具体的な詳細を含む。これらの具体的な詳細は、あらゆる場合において必要とされるとは限らないこと、および、いくつかの事例では、周知の構造およびコンポーネントは、提示の明確さのためにブロック図形式で示されることが、当業者には明らかであろう。
【００１４】
[0022]本開示は、一般に、ワイヤレス通信ネットワークとも呼ばれる、２つ以上のワイヤレス通信システム間の認可された共有アクセスを提供することまたはそれに参加することに関する。様々な実施形態では、技法および装置は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、ＬＴＥ（登録商標）ネットワーク、ＧＳＭ（登録商標）ネットワーク、第５世代（５Ｇ）または新無線（ＮＲ）ネットワークなどのワイヤレス通信ネットワークのみならず、他の通信ネットワークのためにも使用され得る。本明細書で説明される場合、「ネットワーク」および「システム」という用語は、交換可能に用いられ得る。
【００１５】
[0023]ＯＦＤＭＡネットワークは、発展型ＵＴＲＡ（Ｅ−ＵＴＲＡ）、ＩＥＥＥ８０２．１１、ＩＥＥＥ８０２．１６、ＩＥＥＥ８０２．２０、フラッシュ−ＯＦＤＭ、および同様のものなどの無線技術をインプリメントし得る。ＵＴＲＡ、Ｅ−ＵＴＲＡ、およびモバイル通信のためのグローバルシステム（ＧＳＭ）は、ユニバーサルモバイルテレコミュニケーションシステム（ＵＭＴＳ）の一部である。特に、ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）という名称の団体から提供された文書に説明されており、ｃｄｍａ２０００は、「第３世代パートナーシッププロジェクト２」（３ＧＰＰ２）という名称の団体からの文書に説明されている。これらの様々な無線技術および規格は、既知であるか、開発中である。例えば、第３世代パートナーシッププロジェクト（３ＧＰＰ）は、グローバルに適用可能な第３世代（３Ｇ）モバイルフォン仕様を規定することを目的とした、電気通信協会のグループ間の共同研究である。３ＧＰＰロングタームエボリューション（ＬＴＥ）は、ユニバーサルモバイルテレコミュニケーションズシステム（ＵＭＴＳ）モバイルフォン規格を改善することを目的とした、３ＧＰＰプロジェクトである。３ＧＰＰは、次世代のモバイルネットワーク、モバイルシステム、およびモバイルデバイスのための仕様を規定し得る。本開示は、一連の新しい異なる無線アクセス技術または無線エアインターフェースを使用するネットワーク間のワイヤレススペクトルへの共有アクセスを伴う、ＬＴＥから、４Ｇ、５Ｇ、ＮＲ、およびその先へのワイヤレス技術の進化に関する。
【００１６】
[0024]特に、５Ｇネットワークは、ＯＦＤＭベースの統合されたエアインターフェースを使用してインプリメントされ得る多様な展開、多様なスペクトル、ならびに多様なサービスおよびデバイスを企図する。これらの目標を達成するために、ＬＴＥおよびＬＴＥ−Ａに対するさらなる改良が、５Ｇ  ＮＲネットワークのための新無線技術の開発に加えて考慮される。５Ｇ  ＮＲは、（１）超高密度（例えば、約１００万個のノード／ｋｍ２）、超低複雑度（例えば、約数１０ビット／秒）、超低エネルギー（例えば、約１０年以上のバッテリ寿命）、および困難なロケーションに到達する能力を有するディープカバレッジ（deep coverage）を伴う、マッシブモノのインターネット（ＩｏＴ）に対するカバレッジを提供するために、（２）慎重な扱いを要する個人情報、金融情報、または機密情報を保護するための強力なセキュリティ、超高信頼性（例えば、約９９．９９９９％の信頼性）、超低レイテンシ（例えば、約１ｍｓ）、および広範囲にわたるモビリティを有するかまたはそれを欠くユーザを伴う、ミッションクリティカルな制御を含むカバレッジを提供するために、および（３）極めて高い容量（例えば、約１０Ｔｂｐｓ／ｋｍ２）、極めて高いデータレート（例えば、マルチＧｂｐｓレート、１００Ｍｂｐｓ以上のユーザエクスペリエンスレート）、および高度な発見と最適化を伴うディープアウェアネス（deep awareness）を含む、拡張型モバイルブロードバンドを用いてカバレッジを提供するために、スケーリングすることが可能となる。
【００１７】
[0025]５Ｇ  ＮＲは、スケーラブルなヌメロロジ（numerology）および送信時間間隔（ＴＴＩ: transmission time interval）を有する最適化されたＯＦＤＭベースの波形を使用するためにインプリメントされ得、動的な低レイテンシ時分割複信（ＴＤＤ）／周波数分割複信（ＦＤＤ）設計でのサービスおよび特徴を効率的に多重化するための共通の柔軟なフレームワークを有し、マッシブ多入力多出力（ＭＩＭＯ）、ロバストなミリメートル波（ｍｍＷａｖｅ）送信、高度なチャネルコーディング、およびデバイスセントリックモビリティ（device-centric mobility）などの、高度なワイヤレス技術を伴う。サブキャリア間隔（subcarrier spacing）のスケーリングを伴う、５Ｇ  ＮＲにおけるヌメロロジのスケーラビリティは、多様なスペクトルおよび多様な展開にわたる多様なサービスの運用（operating）に効率的に対処し得る。例えば、３ＧＨｚ未満のＦＤＤ／ＴＤＤインプリメンテーションの様々な屋外およびマクロカバレッジ展開では、サブキャリア間隔は、例えば、１、５、１０、２０ＭＨｚなどの帯域幅にわたって（over）、１５ｋＨｚで生じ得る。３ＧＨｚより大きいＴＤＤの他の様々な屋外およびスモールセルカバレッジ展開の場合、サブキャリア間隔は、８０／１００ＭＨｚの帯域幅にわたって、３０ｋＨｚで生じ得る。５ＧＨｚ帯域のアンライセンス部分にわたってＴＤＤを使用する他の様々な屋内ワイドバンドインプリメンテーションの場合、サブキャリア間隔は、１６０ＭＨｚの帯域幅にわたって、６０ｋＨｚで生じ得る。最後に、２８ＧＨｚのＴＤＤにおいてｍｍＷａｖｅコンポーネント（components）を用いて送信する様々な展開の場合、サブキャリア間隔は、５００ＭＨｚの帯域幅にわたって、１２０ｋＨｚで生じ得る。
【００１８】
[0026]５Ｇ  ＮＲのスケーラブルなヌメロロジは、多様なレイテンシおよびサービス品質（ＱｏＳ）要件に対するスケーラブルなＴＴＩを容易にする。例えば、より短いＴＴＩは、低レイテンシおよび高信頼性のために使用され得、一方、より長いＴＴＩは、より高いスペクトル効率のために使用され得る。長いＴＴＩと短いＴＴＩの効率的な多重化は、送信がシンボル境界上で始まることを可能にする。５Ｇ  ＮＲはまた、同じサブフレーム中にアップリンク／ダウンリンクスケジューリング情報、データ、および確認応答を有する、自己完結型の統合サブフレーム設計（self-contained integrated subframe design）を企図する。自己完結型の統合サブフレームは、現在のトラフィックニーズを満たすためにアップリンクとダウンリンクの間で動的に切り替わるように、セルごとに柔軟に構成され得る適応型アップリンク／ダウンリンクである、アンライセンスまたは競合ベースの共有スペクトルにおける通信をサポートする。
【００１９】
[0027]本開示の様々な他の態様および特徴が、以下でさらに詳細に説明される。本明細書での教示が多種多様な形態で具現化され得ること、および本明細書で開示されている任意の特定の構造、機能、または両方は、代表的であるにすぎず、限定するものではないことが明らかであるべきである。本明細書での教示に基づいて、当業者は、本明細書で開示される態様がその他任意の態様とは独立してインプリメントされ得ること、およびこれらの態様のうちの２つ以上が様々な方法で組み合わされ得ることを理解すべきである。例えば、本明細書に示される任意の数の態様を使用して、装置がインプリメントされ得、または方法が実施され得る。加えて、本明細書に示される態様のうちの１つまたは複数に加えて、あるいはそれら以外の他の構造、機能、または構造と機能を使用して、そのような装置がインプリメントされ得、またはそのような方法が実施され得る。例えば、方法は、システム、デバイス、装置の一部として、および／またはプロセッサまたはコンピュータ上での実行のために、コンピュータ可読媒体上に記憶された命令として、インプリメントされ得る。さらに、一態様は、請求項の少なくとも１つの要素を備え得る。
【００２０】
[0028]図１は、本開示の態様に従って構成された様々な基地局およびＵＥを含む、５Ｇネットワーク１００を例示するブロック図である。５Ｇネットワーク１００は、いくつかの基地局１０５と他のネットワークエンティティとを含む。基地局は、ＵＥと通信する局であり得、発展型ノードＢ（ｅＮＢ）、次世代ｅＮＢ（ｇＮＢ）、アクセスポイントなどとも呼ばれ得る。各基地局１０５は、特定の地理的エリアに通信カバレッジを提供し得る。３ＧＰＰでは、「セル」という用語は、この用語が使用されるコンテキストに応じて、カバレッジエリアにサービス提供する基地局および／または基地局サブシステムのこの特定の地理的カバレッジエリアを指し得る。
【００２１】
[0029]基地局は、マクロセル、またはピコセルもしくはフェムトセルなどのスモールセル、および／または他のタイプのセルに通信カバレッジを提供し得る。マクロセルは、一般に、比較的大きい地理的エリア（例えば、半径数キロメートル）をカバーし、ネットワークプロバイダにサービス加入しているＵＥによる無制限のアクセスを可能にし得る。ピコセルなどのスモールセルは、一般に、比較的小さい地理的エリアをカバーすることになり、ネットワークプロバイダにサービスに加入しているＵＥによる無制限のアクセスを可能にし得る。フェムトセルなどのスモールセルもまた、一般に、比較的小さい地理的エリア（例えば、自宅）をカバーすることになり、無制限のアクセスに加えて、フェムトセルとの関連付けを有するＵＥ（例えば、限定加入者グループ（ＣＳＧ）中のＵＥ、自宅内のユーザのためのＵＥなど）による制限付きアクセスも提供し得る。マクロセルのための基地局は、マクロ基地局と呼ばれ得る。スモールセルのための基地局は、スモールセル基地局、ピコ基地局、フェムト基地局またはホーム基地局と呼ばれ得る。図１に示される例では、基地局１０５ｄおよび１０５ｅは、通常のマクロ基地局であり、一方、基地局１０５ａ〜１０５ｃは、３次元（３Ｄ）、全次元（ＦＤ：Full Dimension）、またはマッシブＭＩＭＯのうちの１つに対応可能なマクロ基地局である。基地局１０５ａ〜１０５ｃは、カバレッジおよび容量を増大させるために仰角と方位角の両方のビームフォーミングで３Ｄビームフォーミングを活用するために、それらのより高い次元のＭＩＭＯ能力を利用する。基地局１０５ｆは、ホームノードまたはポータブルアクセスポイントであり得るスモールセル基地局である。基地局は、１つまたは複数（例えば、２つ、３つ、４つなど）のセルをサポートし得る。
【００２２】
[0030]５Ｇネットワーク１００は、同期または非同期動作をサポートし得る。同期動作の場合、複数の基地局は、同様のフレームタイミングを有し得、異なる基地局からの送信は、ほぼ時間的に揃えられ得る。非同期動作の場合、複数の基地局は、異なるフレームタイミングを有し得、異なる基地局からの送信は、時間的に揃えられていない場合がある。
【００２３】
[0031]ＵＥ１１５は、ワイヤレスネットワーク１００全体にわたって分散され、各ＵＥは、固定またはモバイルであり得る。ＵＥは、端末、モバイル局、加入者ユニット、局などとも呼ばれ得る。ＵＥは、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。一態様では、ＵＥは、ユニバーサル集積回路カード（ＵＩＣＣ）を含むデバイスであり得る。別の態様では、ＵＥは、ＵＩＣＣを含まないデバイスであり得る。いくつかの態様では、ＵＩＣＣを含まないＵＥは、全てのインターネット（ＩｏＥ）デバイスとも呼ばれ得る。ＵＥ１１５ａ〜１１５ｄは、５Ｇネットワーク１００にアクセスしているモバイルスマートフォン型デバイスの例である。ＵＥはまた、マシンタイプ通信（ＭＴＣ）、拡張型ＭＴＣ（ｅＭＴＣ：enhanced MTC）、狭帯域ＩｏＴ（ＮＢ−ＩｏＴ）などを含む、接続された通信のために特に構成されたマシンであり得る。ＵＥ１１５ｅ〜１１５ｋは、５Ｇネットワーク１００にアクセスする通信のために構成された様々なマシンの例である。ＵＥは、マクロ基地局、スモールセル、または同様のものであるかにかかわらず、任意のタイプの基地局と通信することが可能であり得る。図１では、稲妻（例えば、通信リンク）は、ＵＥと、ダウンリンクおよび／またはアップリンク上でＵＥにサービス提供するように指定された基地局であるサービング基地局との間のワイヤレス送信を示し、あるいは、基地局間の所望の送信、および基地局間のバックホール送信を示す。
【００２４】
[0032]５Ｇネットワーク１００での動作中、基地局１０５ａ〜１０５ｃは、多地点協調（ＣｏＭＰ）またはマルチコネクティビティ（multi-connectivity）などの、協調空間技法および３Ｄビームフォーミングを使用して、ＵＥ１１５ａおよび１１５ｂにサービス提供する。マクロ基地局１０５ｄは、基地局１０５ａ〜１０５ｃ、ならびにスモールセル基地局１０５ｆとのバックホール通信を実行する。マクロ基地局１０５ｄはまた、ＵＥ１１５ｃおよび１１５ｄがそれに加入しておりかつＵＥ１１５ｃおよび１１５ｄによって受信される、マルチキャストサービスを送信する。このようなマルチキャストサービスは、モバイルテレビジョンまたはストリームビデオを含み得、あるいは、気象緊急事態などのコミュニティ情報、またはアンバーアラートもしくはグレーアラートなどの警報を提供するための他のサービスを含み得る。
【００２５】
[0033]５Ｇネットワーク１００はまた、ドローンであるＵＥ１１５ｅなどのミッションクリティカルなデバイスのための極めて信頼性が高く冗長なリンクで（with）ミッションクリティカルな通信をサポートする。ＵＥ１１５ｅとの冗長な通信リンクは、マクロ基地局１０５ｄおよび１０５ｅ、ならびにスモールセル基地局１０５ｆからのものを含む。ＵＥ１１５ｆ（温度計）、ＵＥ１１５ｇ（スマートメータ）、およびＵＥ１１５ｈ（ウェアラブルデバイス）などの他のマシンタイプデバイスは、スモールセル基地局１０５ｆおよびマクロ基地局１０５ｅなどの基地局と直接的に、または、ＵＥ１１５ｆが、スマートメータであるＵＥ１１５ｇに温度測定情報を通信し、その後、それがスモールセル基地局１０５ｆを通じてネットワークに報告されるといったように、その情報をネットワークに中継する別のユーザデバイスと通信することによるマルチホップ構成においてのいずれかで、５Ｇネットワーク１００を通じて通信し得る。５Ｇネットワーク１００はまた、マクロ基地局１０５ｅと通信するＵＥ１１５ｉ〜１１５ｋ間の車車間（Ｖ２Ｖ：vehicle-to-vehicle）メッシュネットワークでのように、動的な低レイテンシＴＤＤ／ＦＤＤ通信を通じて、さらなるネットワーク効率を提供し得る。
【００２６】
[0034]図２は、図１の基地局のうちの１つおよびＵＥのうちの１つであり得る、基地局１０５およびＵＥ１１５の設計のブロック図を示す。基地局１０５において、送信プロセッサ２２０は、データソース２１２からデータおよびコントローラ／プロセッサ２４０から制御情報を受信し得る。制御情報は、ＰＢＣＨ、ＰＣＦＩＣＨ、ＰＨＩＣＨ、ＰＤＣＣＨ、ＥＰＤＣＣＨ、ＭＰＤＣＣＨ、等のためのものであり得る。データは、ＰＤＳＣＨ、等のためのものであり得る。送信プロセッサ２２０は、データおよび制御情報を処理（例えば、符号化およびシンボルマッピング）して、それぞれ、データシンボルおよび制御シンボルを取得し得る。送信プロセッサ２２０はまた、例えば、ＰＳＳ、ＳＳＳ、およびセル固有基準信号のための、基準シンボルを生成し得る。送信（ＴＸ）多入力多出力（ＭＩＭＯ）プロセッサ２３０は、適用可能な場合、データシンボル、制御シンボル、および／または基準シンボルに対して空間処理（例えば、プリコーディング）を実行し得、変調器（ＭＯＤ）２３２ａ〜２３２ｔに出力シンボルストリームを供給し得る。各変調器２３２は、（例えば、ＯＦＤＭ、等のために）それぞれの出力シンボルストリームを処理して、出力サンプルストリームを取得し得る。各変調器２３２は、この出力サンプルストリームをさらに処理（例えば、アナログ変換、増幅、フィルタリング、およびアップコンバート）して、ダウンリンク信号を取得し得る。変調器２３２ａ〜２３２ｔからのダウンリンク信号は、それぞれ、アンテナ２３４ａ〜２３４ｔを介して送信され得る。
【００２７】
[0035]ＵＥ１１５において、アンテナ２５２ａ〜２５２ｒは、基地局１０５からのダウンリンク信号を受信し得、受信された信号を、それぞれ、復調器（ＤＥＭＯＤ）２５４ａ〜２５４ｒに供給し得る。各復調器２５４は、それぞれの受信された信号を調整（例えば、フィルタリング、増幅、ダウンコンバート、およびデジタル化）して、入力サンプルを取得し得る。各復調器２５４は、（例えば、ＯＦＤＭ、等のために）入力サンプルをさらに処理して、受信されたシンボルを取得し得る。ＭＩＭＯ検出器２５６は、全ての復調器２５４ａ〜２５４ｒから、受信されたシンボルを取得し、適用可能な場合、受信されたシンボルに対してＭＩＭＯ検出を実行し、検出されたシンボルを供給し得る。受信プロセッサ２５８は、検出されたシンボルを処理（例えば、復調、デインターリーブ、および復号）し、ＵＥ１１５のための復号されたデータをデータシンク２６０に供給し、復号された制御情報をコントローラ／プロセッサ２８０に供給し得る。
【００２８】
[0036]アップリンク上では、ＵＥ１１５において、送信プロセッサ２６４は、データソース２６２からの（例えば、ＰＵＳＣＨのための）データと、コントローラ／プロセッサ２８０からの（例えば、ＰＵＣＣＨのための）制御情報とを受け取りおよび処理し得る。送信プロセッサ２６４はまた、基準信号のための基準シンボルを生成し得る。送信プロセッサ２６４からのシンボルは、適用可能な場合、ＴＸ  ＭＩＭＯプロセッサ２６６によってプリコーディングされ、（例えば、ＳＣ−ＦＤＭ、等のために）変調器２５４ａ〜２５４ｒによってさらに処理され、基地局１０５に送信され得る。基地局１０５において、ＵＥ１１５からのアップリンク信号は、アンテナ２３４によって受信され、復調器２３２によって処理され、適用可能な場合、ＭＩＭＯ検出器２３６によって検出され、受信プロセッサ２３８によってさらに処理されて、ＵＥ１１５によって送られた、復号されたデータおよび制御情報を取得し得る。プロセッサ２３８は、復号されたデータをデータシンク２３９に供給し、復号された制御情報をコントローラ／プロセッサ２４０に供給し得る。
【００２９】
[0037]コントローラ／プロセッサ２４０および２８０は、それぞれ、基地局１０５およびＵＥ１１５における動作を指示し得る。基地局１０５におけるコントローラ／プロセッサ２４０および／または他のプロセッサおよびモジュールは、本明細書で説明される技法のための様々なプロセスの実行（execution）を指示または実行（perform）し得る。ＵＥ１１５におけるコントローラ／プロセッサ２８０および／または他のプロセッサおよびモジュールもまた、図４に例示される機能ブロック、および／または本明細書で説明される技法のための他のプロセスの実行を指示または実行し得る。メモリ２４２および２８２は、それぞれ、基地局１０５およびＵＥ１１５のためのデータおよびプログラムコードを記憶し得る。スケジューラ２４４は、ダウンリンクおよび／またはアップリンク上でのデータ送信のためにＵＥをスケジュールし得る。
【００３０】
[0038]異なるネットワークオペレーティングエンティティ（例えば、ネットワーク事業者）によって動作させられるワイヤレス通信システムは、スペクトルを共有し得る。いくつかの事例では、ネットワークオペレーティングエンティティは、別のネットワークオペレーティングエンティティが異なる時間期間にわたって指定された共有スペクトル全体を使用する前に、少なくともある時間期間にわたって指定された共有スペクトルの全体を使用するように構成され得る。したがって、ネットワークオペレーティングエンティティが全（full）指定された共有スペクトルを使用することを可能にするために、および異なるネットワークオペレーティングエンティティ間の干渉する通信を緩和するために、ある特定のリソース（例えば、時間）が区分され、ある特定のタイプの通信のための異なるネットワークオペレーティングエンティティに割り振られ得る。
【００３１】
[0039]例えば、ネットワークオペレーティングエンティティは、共有スペクトルの全体を使用するネットワークオペレーティングエンティティによる排他的な通信のためにリザーブされたある特定の時間リソースを割り振られ得る。ネットワークオペレーティングエンティティはまた、このエンティティが、共有スペクトルを使用して通信するために、他のネットワークオペレーティングエンティティより優先される、他の時間リソースを割り振られ得る。ネットワークオペレーティングエンティティによる使用のために優先されるこれらの時間リソースは、優先されるネットワークオペレーティングエンティティがそのリソースを利用しない場合、日和見ベース（Opportunistic Basis）で他のネットワークオペレーティングエンティティによって利用され得る。追加の時間リソースは、任意のネットワーク事業者が日和見ベースで使用するために割り振られ得る。
【００３２】
[0040]共有スペクトルへのアクセスおよび異なるネットワークオペレーティングエンティティ間での時間リソースの調停（arbitration）は、別個のエンティティによって中央制御されるか、所定の調停スキームによって自律的に決定されるか、またはネットワーク事業者のワイヤレスノード間のインタラクションに基づいて動的に決定され得る。
【００３３】
[0041]いくつかのケースでは、ＵＥ１１５および基地局１０５は、共有無線周波数スペクトル帯域において動作し得、これは、ライセンスまたはアンライセンス（例えば、競合ベース）の周波数スペクトルを含み得る。共有無線周波数スペクトル帯域のアンライセンス周波数部分では、ＵＥ１１５または基地局１０５は、従来どおり、媒体検知プロシージャを実行して、周波数スペクトルへのアクセスを競合し得る。例えば、ＵＥ１１５または基地局１０５は、共有チャネルが利用可能であるかどうかを決定するために、通信する前に、空きチャネル判定（ＣＣＡ：clear channel assessment）などのリッスンビフォアトーク（ＬＢＴ）プロシージャを実行し得る。ＣＣＡは、任意の他のアクティブな送信が存在するかどうかを決定するためのエネルギー検出プロシージャを含み得る。例えば、デバイスは、電力メータの受信信号強度インジケータ（ＲＳＳＩ）における変化が、チャネルが占有されていることを示すと推論（infer）し得る。具体的には、ある特定の帯域幅に集中し、所定のノイズフロアを超える信号電力は、別のワイヤレス送信機を示し得る。ＣＣＡはまた、チャネルの使用を示す特定のシーケンスの検出を含み得る。例えば、別のデバイスは、データシーケンスを送信する前に、特定のプリアンブルを送信し得る。いくつかのケースでは、ＬＢＴプロシージャは、ワイヤレスノードが、衝突用のプロキシとして、それ自体の送信されたパケットに対する肯定応答／否定応答（ＡＣＫ／ＮＡＣＫ）フィードバックおよび／またはチャネル上で検出されたエネルギー量に基づいて、それ自体のバックオフウィンドウを調整することを含み得る。
【００３４】
[0042]アンライセンス共有スペクトルへのアクセスを競合するための媒体検知プロシージャの使用は、通信の非効率をもたらし得る。これは、複数のネットワークオペレーティングエンティティ（例えば、ネットワーク事業者）が共有リソースにアクセスしようと試みるときに、特に顕著であり得る。５Ｇネットワーク１００では、基地局１０５およびＵＥ１１５は、同じまたは異なるネットワークオペレーティングエンティティによって動作させられ得る。いくつかの例では、個々の基地局１０５またはＵＥ１１５は、１つより多くのネットワークオペレーティングエンティティによって動作させられ得る。他の例では、各基地局１０５およびＵＥ１１５は、単一のネットワークオペレーティングエンティティによって動作させられ得る。異なるネットワークオペレーティングエンティティの各基地局１０５およびＵＥ１１５が共有リソースを競合することを必要とすることは、増大されたシグナリングオーバヘッドおよび通信レイテンシをもたらし得る。
【００３５】
[0043]図３は、協調リソース区分化（coordinated resource partitioning）のためのタイミング図３００の例を例示する。タイミング図３００は、スーパーフレーム３０５を含み、これは、固定持続時間（例えば、２０ｍｓ）を表し得る。スーパーフレーム３０５は、所与の通信セッションの間（for）、繰り返され得、図１を参照して説明された５Ｇネットワーク１００などのワイヤレスシステムによって使用され得る。スーパーフレーム３０５は、獲得間隔（Ａ−ＩＮＴ：acquisition interval）３１０および調停間隔３１５などの間隔に分割され得る。以下でより詳細に説明されるように、Ａ−ＩＮＴ３１０および調停間隔３１５は、サブ間隔に細分され、ある特定のリソースタイプのために指定され（designated for certain resource types）、異なるネットワークオペレーティングエンティティに割り振られて、異なるネットワークオペレーティングエンティティ間の協調通信を促進し得る。例えば、調停間隔３１５は、複数のサブ間隔３２０に分割され得る。また、スーパーフレーム３０５は、固定持続時間（例えば、１ｍｓ）を有する複数のサブフレーム３２５にさらに分割され得る。タイミング図３００が、３つの異なるネットワークオペレーティングエンティティ（例えば、事業者Ａ、事業者Ｂ、事業者Ｃ）を例示する一方で、協調通信のためにスーパーフレーム３０５を使用するネットワークオペレーティングエンティティの数は、タイミング図３００に例示される数より多くてもまたは少なくてもよい。
【００３６】
[0044]Ａ−ＩＮＴ３１０は、ネットワークオペレーティングエンティティによる排他的な通信のためにリザーブされた、スーパーフレーム３０５の専用間隔であり得る。いくつかの例では、各ネットワークオペレーティングエンティティは、排他的な通信のために、Ａ−ＩＮＴ３１０内のある特定のリソースを割り振られ得る。例えば、リソース３３０−ａは、例えば、基地局１０５ａを通じて、事業者Ａによる排他的な通信のためにリザーブされ得、リソース３３０−ｂは、例えば、基地局１０５ｂを通じて、事業者Ｂによる排他的な通信のためにリザーブされ得、リソース３３０−ｃは、例えば、基地局１０５ｃを通じて、事業者Ｃによる排他的な通信のためにリザーブされ得る。リソース３３０−ａが事業者Ａによる排他的な通信のためにリザーブされているので、たとえ事業者Ａがそれらのリソース中に通信しないことを選んだとしても、事業者Ｂも事業者Ｃも、リソース３３０−ａ中に通信することができない。すなわち、排他的なリソースへのアクセスは、指定されたネットワーク事業者に限定される。同様の制限が、事業者Ｂのためのリソース３３０−ｂおよび事業者Ｃのためのリソース３３０−ｃにも適用される。事業者Ａのワイヤレスノード（例えば、ＵＥ１１５または基地局１０５）は、制御情報またはデータなどの、それらの排他的なリソース３３０−ａ中に所望される任意の情報を通信し得る。
【００３７】
[0045]排他的なリソース上で通信するとき、ネットワークオペレーティングエンティティは、いかなる媒体検知プロシージャ（例えば、リッスンビフォアトーク（ＬＢＴ）または空きチャネル判定（ＣＣＡ））も実行する必要がなく、これは、ネットワークオペレーティングエンティティが、リソースがリザーブされていることを知っているからである。指定されたネットワークオペレーティングエンティティのみが排他的なリソース上で通信し得るので、媒体検知技法のみに依拠することと比較して、干渉する通信の可能性が低減され得る（例えば、隠れノード問題がない）。いくつかの例では、Ａ−ＩＮＴ３１０は、同期信号（例えば、ＳＹＮＣ信号）、システム情報（例えば、システム情報ブロック（ＳＩＢ））、ページング情報（例えば、物理ブロードキャストチャネル（ＰＢＣＨ）メッセージ）、またはランダムアクセス情報（例えば、ランダムアクセスチャネル（ＲＡＣＨ）信号）などの、制御情報を送信するために使用される。いくつかの例では、ネットワークオペレーティングエンティティに関連付けられた全てのワイヤレスノードが、それらの排他的なリソース中に同時に送信し得る。
【００３８】
[0046]いくつかの例では、リソースは、ある特定のネットワークオペレーティングエンティティのために優先される（prioritized for）ように分類され得る。ある特定のネットワークオペレーティングエンティティに対して優先的に割り当てられたリソース（resources that are assigned with priority）は、そのネットワークオペレーティングエンティティについてのガード間隔（Ｇ−ＩＮＴ）と呼ばれ得る。Ｇ−ＩＮＴ中にネットワークオペレーティングエンティティによって使用されるリソースの間隔は、優先サブ間隔と呼ばれ得る。例えば、リソース３３５−ａは、事業者Ａによる使用のために優先され得、したがって、事業者ＡのためのＧ−ＩＮＴ（例えば、Ｇ−ＩＮＴ−ＯｐＡ）と呼ばれ得る。同様に、リソース３３５−ｂは、事業者Ｂのために優先され得、リソース３３５−ｃは、事業者Ｃのために優先され得、リソース３３５−ｄは、事業者Ａのために優先され得、リソース３３５−ｅは、事業者Ｂのために優先され得、リソース３３５−ｆは、事業者Ｃのために優先され得る。
【００３９】
[0047]図３に例示される様々なＧ−ＩＮＴリソースは、それらのそれぞれのネットワークオペレーティングエンティティとのそれらの関連付けを例示するために互い違いに配置（staggered）されているように見えるが、これらのリソースは全て、同じ周波数帯域幅上にあり得る。したがって、時間周波数グリッドに沿って見た場合、Ｇ−ＩＮＴリソースは、スーパーフレーム３０５内の連続した線のように見え得る。データのこの区分化は、時分割多重化（ＴＤＭ）の一例であり得る。また、複数のリソースが同じサブ間隔中にあるように見える場合（例えば、リソース３４０−ａおよびリソース３３５−ｂ）、これらのリソースは、スーパーフレーム３０５に関して同じ時間リソースを表す（例えば、リソースは、同じサブ間隔３２０を占有する）が、これらリソースは、同じ時間リソースが異なる事業者に対して異なって分類され得ることを例示するために、別個に指定されている。
【００４０】
[0048]リソースがある特定のネットワークオペレーティングエンティティに対して優先的に割り当てられているとき（例えば、Ｇ−ＩＮＴ）、そのネットワークオペレーティングエンティティは、いかなる媒体検知プロシージャ（例えば、ＬＢＴまたはＣＣＡ）を実行することも、または待機することも必要なしに、それらのリソースを使用して通信し得る。例えば、事業者Ａのワイヤレスノードは、事業者Ｂまたは事業者Ｃのワイヤレスノードからの干渉なく、リソース３３５−ａ中に任意のデータまたは制御情報を自由に通信することができる。
【００４１】
[0049]ネットワークオペレーティングエンティティは、追加として、それが特定のＧ−ＩＮＴを使用することを意図していることを、別の事業者にシグナリングし得る。例えば、リソース３３５−ａを参照すると、事業者Ａは、それがリソース３３５−ａを使用することを意図していることを、事業者Ｂおよび事業者Ｃにシグナリングし得る。このようなシグナリングは、アクティビティインジケーションと呼ばれ得る。さらに、事業者Ａがリソース３３５−ａにわたって優先されるので、事業者Ａは、事業者Ｂと事業者Ｃの両方よりも高い優先度の事業者と見なされ得る。しかしながら、上記で説明されたように、リソース３３５−ａが事業者Ａに優先的に割り当てられているので、事業者Ａは、リソース３３５−ａ中の干渉のない送信を確実にするために、他のネットワークオペレーティングエンティティにシグナリングを送る必要がない。
【００４２】
[0050]同様に、ネットワークオペレーティングエンティティは、それが特定のＧ−ＩＮＴを使用しないことを意図していることを、別のネットワークオペレーティングエンティティにシグナリングし得る。このシグナリングもまた、アクティビティインジケーションと呼ばれ得る。例えば、リソース３３５−ｂを参照すると、事業者Ｂは、たとえこれらリソースが事業者Ｂに優先的に割り当てられていたとしても、それが通信のためにリソース３３５−ｂを使用しないことを意図していることを、事業者Ａおよび事業者Ｃにシグナリングし得る。リソース３３５−ｂを参照すると、事業者Ｂは、事業者Ａおよび事業者Ｃよりも高い優先度のネットワークオペレーティングエンティティと見なされ得る。このようなケースでは、事業者ＡおよびＣは、日和見ベースでサブ間隔３２０のリソースを使用するように試み得る。したがって、事業者Ａの観点から、リソース３３５−ｂを含むサブ間隔３２０は、事業者Ａのための日和見的間隔（Ｏ−ＩＮＴ）（例えば、Ｏ−ＩＮＴ−ＯｐＡ）と見なされ得る。例示を目的として、リソース３４０−ａは、事業者ＡのためのＯ−ＩＮＴを表し得る。また、事業者Ｃの観点から、同じサブ間隔３２０は、対応するリソース３４０−ｂを有する事業者ＣのためのＯ−ＩＮＴを表し得る。リソース３４０−ａ、３３５−ｂ、および３４０−ｂは全て、同じ時間リソース（例えば、特定のサブ間隔３２０）を表すが、同じリソースが、いくつかのネットワークオペレーティングエンティティにとってはＧ−ＩＮＴと見なされ得、なおかつ、他のネットワークオペレーティングエンティティにとってはＯ−ＩＮＴと見なされ得ることを示すために、別個に識別されている。
【００４３】
[0051]日和見ベースでリソースを利用するために、事業者Ａおよび事業者Ｃは、データを送信する前に特定のチャネル上の通信を検査するために、媒体検知プロシージャを実行し得る。例えば、事業者Ｂがリソース３３５−ｂ（例えば、Ｇ−ＩＮＴ−ＯｐＢ）を使用しないことを決定した場合には、事業者Ａは、まず、干渉についてチャネルを検査し（例えば、ＬＢＴ）、次いで、そのチャネルがクリアであると決定された場合、データを送信することによって、（例えば、リソース３４０−ａによって表される）これらの同じリソースを使用し得る。同様に、事業者ＢはそのＧ−ＩＮＴを使用する予定がなかった（Operator B was not going to use its G-INT）というインジケーションに応答して、事業者Ｃがサブ間隔３２０中に日和見ベースでリソースにアクセスすること（例えば、リソース３４０−ｂによって表されるＯ−ＩＮＴを使用すること）を望んだ場合、事業者Ｃは、媒体検知プロシージャを実行し、利用可能な場合、これらリソースにアクセスし得る。いくつかのケースでは、２つの事業者（例えば、事業者Ａおよび事業者Ｃ）が、同じリソースにアクセスするように試み得、このケースでは、これら事業者は、干渉する通信を回避するために、競合ベースのプロシージャを用い得る。１つより多くの事業者が同時にアクセスを試みている場合、これら事業者はまた、どの事業者がリソースへのアクセスを得ることができるかを決定するように設計された、それらに割り当てられたサブ優先度（sub-priorities）を有し得る。
【００４４】
[0052]いくつかの例では、ネットワークオペレーティングエンティティは、それに割り当てられた特定のＧ−ＩＮＴを使用しないことを意図し得るが、リソースを使用しない意図を伝達するアクティビティインジケーションを送出しない場合がある。このようなケースでは、特定のサブ間隔３２０について、より低い優先度のオペレーティングエンティティは、より高い優先度のオペレーティングエンティティがこれらリソースを使用しているかどうかを決定するために、チャネルを監視するように構成され得る。より低い優先度のオペレーティングエンティティが、ＬＢＴまたは同様の方法を通じて、より高い優先度のオペレーティングエンティティがそのＧ−ＩＮＴリソースを使用する予定がない（not going to use）ことを決定した場合には、より低い優先度のオペレーティングエンティティは、上記で説明されたように、日和見ベースでこれらリソースにアクセスするように試み得る。
【００４５】
[0053]いくつかの例では、Ｇ−ＩＮＴまたはＯ−ＩＮＴへのアクセスは、リザベーション信号（例えば、送信要求（ＲＴＳ）／送信可（ＣＴＳ））によって先行され得、競合ウィンドウ（ＣＷ）は、１からオペレーティングエンティティの総数までの間で（between one and the total number of operating entities）、ランダムに選ばれ得る。
【００４６】
[0054]いくつかの例では、オペレーティングエンティティは、多地点協調（ＣｏＭＰ）通信を用いるか、またはそれとの互換性があり得る。例えば、オペレーティングエンティティは、必要に応じて、Ｇ−ＩＮＴにおいて、ＣｏＭＰおよび動的時分割複信（ＴＤＤ）を、およびＯ−ＩＮＴにおいて、日和見的ＣｏＭＰを用い得る。
【００４７】
[0055]図３に例示される例では、各サブ間隔３２０は、事業者Ａ、Ｂ、またはＣのうちの１つのためのＧ−ＩＮＴを含む。しかしながら、いくつかのケースでは、１つまたは複数のサブ間隔３２０は、排他的な使用のためリザーブされることも、優先的な使用のためにリザーブされることもないリソース（例えば、割り当てられていないリソース）を含み得る。このような割り当てられていないリソースは、任意のネットワークオペレーティングエンティティのためのＯ−ＩＮＴと見なされ得、上記で説明されたように、日和見ベースでアクセスされ得る。
【００４８】
[0056]いくつかの例では、各サブフレーム３２５は、１４個のシンボル（例えば、６０ｋＨｚのトーン間隔に対して２５０μｓ）を含み得る。これらのサブフレーム３２５は、スタンドアロンの自己完結型間隔−Ｃ（ＩＴＣ）であり得るか、またはサブフレーム３２５は、長いＩＴＣの一部であり得る。ＩＴＣは、ダウンリンク送信で始まり、アップリンク送信で終わる、自己完結型送信であり得る。いくつかの実施形態では、ＩＴＣは、媒体占有時に連続して動作する、１つまたは複数のサブフレーム３２５を含み得る。いくつかのケースでは、２５０μｓの送信機会を仮定すると、（例えば、２ｍｓの持続時間を有する）Ａ−ＩＮＴ３１０において最大８つのネットワーク事業者が存在し得る。
【００４９】
[0057]３つの事業者が図３に例示されているが、より少ないまたはより多くのネットワークオペレーティングエンティティが、上記で説明されたような協調的な方法で動作するように構成され得ることが理解されるべきである。いくつかのケースでは、各事業者についての、スーパーフレーム３０５内のＧ−ＩＮＴ、Ｏ−ＩＮＴ、またはＡ−ＩＮＴのロケーションは、システムにおいてアクティブなネットワークオペレーティングエンティティの数に基づいて自律的に決定される。例えば、１つのネットワークオペレーティングエンティティのみが存在する場合、各サブ間隔３２０は、その単一のネットワークオペレーティングエンティティのためのＧ−ＩＮＴによって占有され得るか、またはサブ間隔３２０は、他のネットワークオペレーティングエンティティが参加することを可能にするために、そのネットワークオペレーティングエンティティのためのＧ−ＩＮＴと、Ｏ−ＩＮＴとの間で交互し得る。２つのネットワークオペレーティングエンティティが存在する場合、サブ間隔３２０は、第１のネットワークオペレーティングエンティティのためのＧ−ＩＮＴと、第２のネットワークオペレーティングエンティティのためのＧ−ＩＮＴとの間で交互し得る。３つのネットワークオペレーティングエンティティが存在する場合、各ネットワークオペレーティングエンティティについてのＧ−ＩＮＴおよびＯ−ＩＮＴは、図３に例示されるように設計され得る。４つのネットワークオペレーティングエンティティが存在する場合、最初の４つのサブ間隔３２０は、４つのネットワークオペレーティングエンティティのための連続するＧ−ＩＮＴを含み得、残りの２つのサブ間隔３２０は、Ｏ−ＩＮＴを含み得る。同様に、５つのネットワークオペレーティングエンティティが存在する場合、最初の５つのサブ間隔３２０は、５つのネットワークオペレーティングエンティティのための連続するＧ−ＩＮＴを含み得、残りのサブ間隔３２０は、Ｏ−ＩＮＴを含み得る。６つのネットワークオペレーティングエンティティが存在する場合、６つのサブ間隔３２０全てが、各ネットワークオペレーティングエンティティのための連続するＧ−ＩＮＴを含み得る。これらの例は、例示のみを目的としており、他の自律的に決定された間隔割振りが使用され得ることも理解されるべきである。
【００５０】
[0058]図３を参照して説明された協調フレームワークは、例示のみを目的としていることが理解されるべきである。例えば、スーパーフレーム３０５の持続時間は、２０ｍｓより長くなるか、またはそれより短くなり得る。また、サブ間隔３２０およびサブフレーム３２５の数、持続時間、およびロケーションは、例示された構成とは異なり得る。また、リソース指定のタイプ（例えば、排他的、優先的、割り当てられていない）は、異なるか、またはより多くのまたはより少ないサブ指定（sub-designations）を含み得る。
【００５１】
[0059]ＮＲは、ランク１および２についてのタイプIIカテゴリ１ＣＳＩフィードバック報告をサポートする。プリコーディング行列インジケータ（ＰＭＩ）が、空間チャネル情報フィードバックのために使用される。ＰＭＩコードブックは、以下のプリコーダ構造（precoder structure）を仮定する：
【数１】
2020526063.tif 000003
【００５２】
[0060]
【数２】
2020526063.tif 000004
（Ｌ個のビームの重み付けされた組合せ）。Ｌの値は、設定可能であり：Ｌ∈｛２，３，４｝、ｂｋ１，ｋ２は、オーバーサンプリングされた２Ｄ  ＤＦＴビームに対応し、ｒ＝０，１は、ビームの偏波（the polarization of the beam）に対応し、ｌ＝０，１は、レイヤに対応し、
【数３】
2020526063.tif 000005
は、偏波ｒおよびレイヤｌでの、ビームｉについての（for beam i and on polarization r and layer l）ワイドバンド（ＷＢ）ビーム振幅または電力スケーリングファクタに対応し、
【数４】
2020526063.tif 000006
は、偏波ｒおよびレイヤｌでの、ビームｉについてのサブバンド（ＳＢ）ビーム振幅または電力スケーリングファクタに対応し、ｃｒ，ｌ，ｉは、偏波ｒおよびレイヤｌでの、ビームｉについてのビーム結合係数または位相に対応する。プリコーダは、ＱＰＳＫ（２ビット）および８ＰＳＫ（３ビット）の間で設定可能であり得、振幅スケーリングモードは、ＷＢおよびＳＢ（不均等なビット割振りを伴う）と、ＷＢのみ（WB-only）との間で設定可能であり得る。
【００５３】
[0061]ビーム選択は、一般に、ワイドバンドのみに対して実行され、ここで、制約なしのビーム選択は、直交基底から行われる：
【数５】
2020526063.tif 000007
ここで、
【数６】
2020526063.tif 000008
は、回転ファクタに対応し、
【数７】
2020526063.tif 000009
は、直交ビームインデックスに対応する。表１における（Ｎ１，Ｎ２）および（Ｏ１，Ｏ２）の下記値がサポートされ得る：
【表１】
2020526063.tif 000010
（＊）ビーム選択は、次の場合に使用されないことがある：４ポート  Ｌ＝２（Ｌ＝３，４は、サポートされないことがある）、８ポート  Ｌ＝４。
【００５４】
[0062]振幅スケーリングは、各ビーム、偏波、およびレイヤについて独立に選択され得る。ＵＥは、サブバンド振幅の有無にかかわらず、ワイドバンド振幅を報告するように構成され得る。例えば、ワイドバンド
【数８】
2020526063.tif 000011
およびサブバンド
【数９】
2020526063.tif 000012
では、
【数１０】
2020526063.tif 000013
が可能である。ワイドバンド
【数１１】
2020526063.tif 000014
のみの構成では、
【数１２】
2020526063.tif 000015
が可能である。ワイドバンド振幅値セット（set）（３ビット）は、
【数１３】
2020526063.tif 000016
を含み得る。ＰＭＩペイロードは、振幅がゼロか否かに依存して異なり得、一方（while）、サブバンド振幅値セット（１ビット）は、｛１，√０．５｝を含み得る。
【００５５】
[0063]結合係数のための位相（phase for combining coefficients）もまた、各ビーム、偏波、およびレイヤについて独立に選択され得る。サブバンドのみの構成では、位相値セットは、
【数１４】
2020526063.tif 000017
のいずれかを含み得る。
【００５６】
[0064]その後、ビーム、偏波、およびレイヤの値の各々についてのワイドバンド振幅、サブバンド振幅、およびサブバンド位相のコンポーネントは、量子化され、（Ｘ，Ｙ，Ｚ）ビットで報告され得る。各レイヤについて、２Ｌ個の係数のうちのリーディング（leading）（最も強い）係数の場合、（Ｘ，Ｙ，Ｚ）＝（０，０，０）。リーディング（最も強い）係数＝１。
【００５７】
[0065]ワイドバンドおよびサブバンド振幅構成の場合、（２Ｌ−１）個の係数のうち最初の（first）（Ｋ−１）個のリーディング（最も強い）係数については、（Ｘ，Ｙ）＝（３，１）およびＺ∈｛２，３｝、および残りの（２Ｌ−Ｋ）個の係数については、（Ｘ，Ｙ，Ｚ）＝（３，０，２）。Ｌ＝２、３、および４の場合、Ｋの対応する値は、それぞれ、４（＝２Ｌ）、４、および６であり得る。次の係数インデックス情報は、ワイドバンドのみの構成で報告され得る。（レイヤごとの）２Ｌ個の係数のうちの最も強い係数のインデックス。（Ｋ−１）個のリーディング係数は、追加のシグナリングなしに、レイヤごとに報告された（２Ｌ−１）個のワイドバンド振幅係数から暗黙的に決定される。ワイドバンドのみの振幅、すなわち、Ｙ＝０の場合、（Ｘ，Ｙ）＝（３，０）およびＺ∈｛２，３｝。２Ｌ個の係数のうちの最も強い係数のインデックスは、ワイドバンド方式で、レイヤごとに報告される。
【００５８】
[0066]ＮＲネットワークの場合、７つのフィードバックコンポーネントが、ＣＳＩ報告のために含まれ得る。より少ないまたはより多くの数のフィードバックコンポーネントがまた、特定のコードブック構成に基づいて可能である。このようなＣＳＩフィードバックコンポーネントの一例となる集合は、次のとおりである：（１）ランクインジケータ、（２）Ｌ個のビームについてのＰＭＩｂ，０〜ＰＭＩｂ，Ｌ−１を含む、ワイドバンドのみのビーム選択のインジケーション（ＰＭＩｂ）、ここで、Ｌは、予め構成され得る、および、回転ファクタ選択のインジケーション（ＰＭＩｑ）、（３）ＰＭＩｄ，ｌを含む、各レイヤについてのドミナントビームインデックス（dominant beam index）（ＰＭＩｄ）、（４）ＰＭＩｐ，ｗｂ，ｒ，ｌ，ｂ（ここで、ｒは、偏波であり、ｌは、レイヤである）を含む、各レイヤおよび偏波についての、ワイドバンド振幅のインジケーション（ＰＭＩｐ，ｗｂ）、（５）ＰＭＩｐ，ｓｂ，ｒ，ｌ，ｂを含む、各レイヤおよび偏波についての、サブバンド振幅のインジケーション（ＰＭＩｐ，ｓｂ）、（６）ＰＭＩｃ，ｒ，ｌ，ｂを含む、各レイヤおよび偏波についての、サブバンド位相のインジケーション（ＰＭＩｃ）、および（７）ワイドバンドまたはサブバンドの、チャネル品質インジケータ（ＣＱＩ）、ここで、単一のコードワードが、ＣＳＩフィードバックにおける使用のために仮定される。述べられたように、いくつかのコードブック構成では、ＰＭＩｐ，ｓｂは、ＣＳＩフィードバックコンポーネントの一部ではない場合がある。本開示の態様は、オーバヘッド低減スキームを提供することに向けられる。
【００５９】
[0067]図４は、本開示の一態様をインプリメントするために実行される、例となるブロックを例示するブロック図である。例となるブロックはまた、図８に例示されるような、ＵＥ１１５に関して説明される。図８は、本開示の一態様に従って構成されたＵＥ１１５を例示するブロック図である。ＵＥ１１５は、図２のＵＥ１１５に関して例示されたような構造、ハードウェア、およびコンポーネントを含む。例えば、ＵＥ１１５は、コントローラ／プロセッサ２８０を含み、これは、メモリ２８２に記憶されたロジックまたはコンピュータ命令を実行するように動作するのみならず、ＵＥ１１５の特徴および機能を提供するＵＥ１１５のコンポーネントを制御する。ＵＥ１１５は、コントローラ／プロセッサ２８０の制御下で、ワイヤレス無線機８００ａ〜ｒおよびアンテナ２５２ａ〜ｒを介して、信号を送信および受信する。ワイヤレス無線機８００ａ〜ｒは、変調器／復調器２５４ａ〜ｒ、ＭＩＭＯ検出器２５６、受信プロセッサ２５８、送信プロセッサ２６４、およびＴＸ  ＭＩＭＯプロセッサ２６６を含む、ｅＮＢ１０５に関して図２に例示されたような、様々なコンポーネントおよびハードウェアを含む。
【００６０】
[0068]ブロック４００において、ＵＥは、複数のＣＳＩフィードバックコンポーネントを決定し得る。例えば、ＵＥ１１５などのＵＥは、コードブック構成に基づいて定義されることになるＣＳＩフィードバックコンポーネントの数を決定し得る。したがって、ＵＥ１１５は、コントローラ／プロセッサ２８０の制御下で、メモリ２８２に記憶された測定ロジック８０１を実行することになる。測定ロジック８０１の実行環境は、ＵＥ１１５が、ＵＥ１１５の周りのチャネル環境を測定することを可能にする。その後、様々なＣＳＩフィードバックコンポーネントが、チャネル環境の知識を使用して、メモリ２８２におけるＰＭＩコードブック８０２にアクセスすることによって決定され得る。１つの例となるインプリメンテーションでは、上記で扱われた７つのＣＳＩフィードバックコンポーネントは、ＲＩ、ＰＭＩｂ、ＰＭＩｄ、ＰＭＩｐ，ｗｂ、ＰＭＩｐ，ｓｂ、ＰＭＩｃ、およびＣＱＩを含み得、これらの各々は、該当する場合、各ビーム、偏波、およびレイヤについて独立に決定される。ブロック４０１において、ＵＥは、特定のＰＭＩフィードバックコンポーネントのコンポーネント値に基づいて、破棄されるＣＳＩフィードバックコンポーネントのセット（discarded CSI feedback components）を識別する。例えば、ＵＥ１１５は、コントローラ／プロセッサ２８０の制御下で、メモリ２８２に記憶された、破棄されるペイロードロジック８０３を実行する。破棄されるペイロードロジック８０３の実行環境は、ＵＥ１１５が、ある特定のＰＭＩフィードバックコンポーネントの値に基づいて、破棄されるコンポーネントと見なされることになる、決定されたＣＳＩフィードバックコンポーネントのうちのそれら（ones）を識別することを可能にする。例えば、ＰＭＩｂまたはＰＭＩｐ，ｗｂのいずれかなどの、ＰＭＩフィードバックコンポーネントのうちの１つの値が、他のＣＳＩフィードバックコンポーネントのうちのどれが破棄されるコンポーネントと見なされ得るかを決定するために、ＵＥ１１５によって使用され得る。したがって、どのビームがＰＭＩｂによって示されたかに依存して、ＵＥ１１５は、他のＰＭＩフィードバックコンポーネントのうちのどれが報告に不要であるかを決定し得る。同様に、ＰＭＩｐ，ｗｂについてのワイドバンド振幅値が何であるかを決定することによって、ＵＥ１１５はまた、報告が不要になる他の対応するＰＭＩフィードバックコンポーネントも決定し得る。破棄されるコンポーネントを識別するために使用されることになる特定のＰＭＩフィードバックコンポーネントは、上位または下位レイヤシグナリングなどのシグナリング、または予め構成されたＵＥ設定のいずれかを通じて、ＵＥ１１５において予め決定され得る。このような破棄されるコンポーネントを決定するための様々な態様が、以下でさらに説明される。
【００６１】
[0069]ブロック４０２において、ＵＥは、調整されたＣＳＩレポートを生成し、ここにおいて、調整されたＣＳＩレポートは、破棄されるＣＳＩフィードバックコンポーネントのセットに従って調整された複数のＣＳＩフィードバックコンポーネントを含む。ＣＳＩフィードバックコンポーネントのうちのどれが報告に必要ないとして破棄され得るかを決定した後、ＵＥ１１５は、メモリ２８２におけるＣＳＩレポートジェネレータ８０４を実行し、破棄されるコンポーネントに適合させるように、調整されたＣＳＩレポートを生成する。例えば、以下でさらに説明されるように、ＵＥ１１５は、ＣＳＩフィードバックレポートから、破棄されるコンポーネントを完全に省き得るか、または、それは、破棄されるコンポーネントに関連付けられた固定値を割り当て得る。ブロック４０３において、その後、ＵＥは、調整されたＣＳＩレポートをサービング基地局に送信することになる。例えば、ＵＥ１１５は、ワイヤレス無線機８００ａ〜ｒおよびアンテナ２５２ａ〜ｒを介して、結果として得られた調整されたＣＳＩレポートを送信することになる。
【００６２】
[0070]図５は、本開示の一態様に従って構成されたＵＥ１１５ａを例示するブロック図である。ＵＥ１１５ａは、プリコーダ関連コンポーネント５００を含むＣＳＩフィードバックコンポーネントの各々を決定することになり、これらは、プリコーダを決定するために使用される（例えば、ＲＩ５０２、ＰＭＩｂ５０３、ＰＭＩｄ５０４、ＰＭＩｐ，ｗｂ５０５、ＰＭＩｐ，ｓｂ５０６、およびＰＭＩｃ５０７、ならびにＣＱＩ５０１。本開示の様々な態様は、このようなＣＳＩ報告においてオーバヘッド低減のためのスキームを提供することに向けられる。例えば、第１のオプションの態様では、破棄されるコンポーネントは、ＰＭＩｂ５０３のビームインジケーションを通じて暗黙的に示され得る。例えば、ＰＭＩｂ，ｎ＝ＰＭＩｂ，０、（０＜＝ｎ＜Ｌ）の場合には、関連付けられたフィードバックコンポーネントＰＭＩｐ，ｗｂ，ｒ，ｌ，ｂ＞＝ｎ、ＰＭＩｐ，ｓｂ，ｒ，ｌ，ｂ＞＝ｎ、ＰＭＩｃ，ｒ，ｌ，ｂ＞＝ｎは、「破棄されるペイロード」または破棄されるコンポーネントと見なされ得る。この効果は、線形結合コードブック（linear combination codebook）についてのＬ＝ｎ個のビームにフォールバックすることと同等である。この第１のオプションのバリエーションにおいて、ｎ＝１の場合には、ＵＥは、タイプI ＣＳＩフィードバックにフォールバックすることになり、ここで、ＰＭＩｄ５０４、ＰＭＩｐ，ｗｂ５０５、ＰＭＩｐ，ｓｂ５０６、およびＰＭＩｃ５０７の他のＰＭＩコンポーネントの全てが、破棄されるコンポーネントと見なされることになり、その代わりに、対応するタイプIコードブックのＰＭＩが、基地局１０５ａにフィードバックされることになる。
【００６３】
[0071]第２のオプションの態様では、破棄されるコンポーネントは、ワイドバンド振幅ＰＭＩｐ，ｗｂ５０５を通じて暗黙的に示され得る。例えば、ＰＭＩｐ，ｗｂ，ｒ，ｌ，ｎ＝０であるときには、関連付けられたフィードバックコンポーネントＰＭＩｐ，ｓｂ，ｒ，ｌ，ｎ、ＰＭＩｃ，ｒ，ｌ，ｎは、破棄されるコンポーネントと見なされ得る。第３のオプションの態様は、第１および第２の代替オプションを一緒に利用することを含み得る。
【００６４】
[0072]オーバヘッド低減のための異なる代替スキームが、様々な方法でトリガされ得る。例えば、ＵＥ１１５ａは、所定の（例えば、常に有効である）メカニズムを通じて、あるいは上位レイヤ構成シグナリング、半静的構成シグナリング、または動的構成シグナリングを介して、様々なオプションのスキームを有効／無効にするための基地局１０５ａからのシグナリングを通じて、オーバヘッド低減のためにトリガされ得る。したがって、第１および第２の代替オプションの両方が、基地局１０５ａからのシグナリングによって有効／無効にされ得る。例えば、ＰＭＩｂ５０３に基づく選択は、基地局１０５ａからの半静的構成シグナリングによって有効／無効にされ得、一方、ＰＭＩｐ，ｗｂ５０５に基づく選択は、常に有効であり得る。
【００６５】
[0073]破棄されるペイロードとして識別されたフィードバックコンポーネントは、異なる方法で処理され得る。第１のオプションの態様では、ＵＥ１１５ａは、破棄されるコンポーネントのいずれも送信しないことを選択し得、したがって、全体のペイロードサイズ（overall payload size）を低減させる。例えば、ＰＭＩｂ５０３に基づいて、ＵＥ１１５ａが、破棄されるコンポーネントであるとして、ＰＭＩｐ，ｗｂ５０５、ＰＭＩｐ，ｓｂ５０６、およびＰＭＩｃ５０７についての偏波、ビーム、およびレイヤのコンポーネントを識別した場合、調整されたＣＳＩレポート５０８の生成は、これらのコンポーネントを含まないことになり、ここで、調整されたＣＳＩレポート５０８の全体のペイロードサイズは、結果として低減されることになる。
【００６６】
[0074]第２のオプションの態様では、ＵＥ１１５ａは、固定ペイロードを有する調整されたＣＳＩレポート５０８を送信し得る。固定ペイロードは、例えば、コンポーネントが、破棄されるコンポーネントとして識別されたとき、全て「０」または別の所定のパターンで構成され得る。例えば、ＰＭＩｐ，ｗｂ５０５に基づいて、ＵＥ１１５ａが、破棄されるコンポーネントであるとして、ＰＭＩｐ，ｓｂ５０６およびＰＭＩｃ５０７についての偏波、ビーム、およびレイヤのコンポーネントを識別した場合、調整されたＣＳＩレポート５０８の生成は、破棄されるコンポーネントに関連付けられた固定ペイロードを含むことになり、ここで、調整されたＣＳＩレポート５０８の全体のペイロードサイズは、同じままになる。一貫したペイロードサイズはまた、さらなるジョイント符号化を可能にする。
【００６７】
[0075]図６は、本開示の一態様に従って構成されたＵＥ１１５ａを例示するブロック図である。本開示の追加の態様では、ＣＳＩフィードバックのある特定のＣＳＩフィードバックコンポーネントは、他のＣＳＩフィードバックコンポーネントの正しい復号に依存し得る。ＣＳＩフィードバックのコンテキストにおける依存性（dependency）とは、コンポーネントが、それが依存している他のコンポーネントが正しく復号されているときにのみ、有効（effective）であることを意味する。依存性の矢印６００は、プリコーダ関連コンポーネント５００のうちのどれが、他のＣＳＩフィードバックコンポーネントへのこのような依存性を有するかを識別する。例えば、有効なＰＭＩｄ５０４は、ランクインジケータ、ＲＩ５０２の正しい復号に依存し得る。有効なＰＭＩｐ，ｗｂ５０５は、ＲＩ５０およびＰＭＩｂ５０３の正しい復号に依存し得る（ここで、オーバヘッド低減スキームの選択は、ＰＭＩｂ５０３に基づく）。有効なＰＭＩｐ，ｓｂ５０６およびＰＭＩｃ５０７は、ＰＭＩｄ５０４およびＰＭＩｐ，ｗｂ５０５の正しい復号に依存し得る（ここで、オーバヘッド低減スキームの選択は、ＰＭＩｐ，ｗｂ５０５に基づく）。加えて、有効なＣＱＩ５０１は、構築された（constructed）プリコーダ関連コンポーネント５００（これは、ＲＩ５０２と、ＰＭＩコンポーネントの全て、すなわち、ＰＭＩｂ５０３、ＰＭＩｄ５０４、ＰＭＩｐ，ｗｂ５０５、ＰＭＩｐ，ｓｂ５０６、およびＰＭＩｃ５０７とを含む）に依存し得る。
【００６８】
[0076]図７Ａ〜図７Ｃは、本開示の態様に従って構成されたＵＥ１１５ａを例示するブロック図である。本開示の追加の態様は、ＣＳＩフィードバックコンポーネントのジョイントコーディングを提供する。ジョイントコーディングと、破棄されるビットの処理との間の関係は、ペイロードビットが以前の復号されたコンポーネントに基づいて決定され得るときには、低減されたペイロードオプションが適用され得るように定義され得る。しかしながら、ペイロードビットが、以前の復号されたコンポーネントに基づいて決定されることができないときには（例えば、ワイドバンク振幅ベースの選択オプションが有効になっており、ＰＭＩｐ，ｗｂ５０５およびＰＭＩｐ，ｓｂ５０６が、１つのパケットにおいて符号化されているときなど、ここで、ＰＭＩｐ，ｓｂ５０６のサイズは、ＰＭＩｐ，ｗｂ５０５との依存性を有する）、固定ペイロードオプションが使用され得る。本開示の態様で利用可能な様々なジョイントコーディングスキームは、オーバヘッド削減のために、低減されたペイロードオプションが使用されるか、あるいは固定ペイロードオプションが使用されるかに依存して選択され得る。
【００６９】
[0077]ＣＳＩフィードバックのためのジョイントコーディングスキームは、単一のパケット送信（図７Ａ）、２つのパケット送信（図７Ｂ）、または３つのパケット送信（図７Ｃ）を提供し得る。図７Ａの第１のジョイントコーディングオプションでは、単一のパケット７００が、ＣＳＩフィードバックのための調整されたＣＳＩレポート５０８において符号化され得る。このような態様では、全てのＣＳＩフィードバックコンポーネント（例えば、ＲＩ５０２、ＰＭＩｂ５０３、ＰＭＩｄ５０４、ＰＭＩｐ，ｗｂ５０５、ＰＭＩｐ，ｓｂ５０６、およびＰＭＩｃ５０７、ならびにＣＱＩ５０１）が、単一のパケット７００において符号化されることになる。固定ペイロードオプションは、破棄されるコンポーネントについてのビーム選択ベースの選択オプションまたはワイドバンド振幅ベースの選択オプションのいずれかが有効になっているときに使用され得る。
【００７０】
[0078]図７Ｂの第２のジョイントコーディングオプションでは、調整されたＣＳＩレポート５０８における２つのパケットの符号化（パケット７０１およびパケット７０２）が、２つの異なるサブオプションを含み得る。この２つのパケットの符号化のインプリメンテーションの様々な態様は、パケット７０１とパケット７０２との間でのＣＳＩフィードバックコンポーネントの任意の様々なペアリングを提供し得る。第１のサブオプションの一例では、ＲＩ５０２およびＰＭＩｂ５０３は、パケット７０１において符号化され得、一方、ＰＭＩｄ５０４、ＰＭＩｐ，ｗｂ５０５、ＰＭＩｐ，ｓｂ５０６、およびＰＭＩｃ５０７は、パケット７０２において符号化され得る。ワイドバンド振幅ベースの選択オプションが有効になっている場合には、固定ペイロードオプションが、パケット７０２のために使用され得る。しかしながら、ビームインジケーションベースの選択オプションが有効になっており、ワイドバンド振幅ベースの選択オプションが無効になっている場合、低減されたペイロードオプションが、パケット７０２のために使用され得る。
【００７１】
[0079]図７Ｂの第２のジョイントコーディングオプションの第２のサブオプションの一例では、ＲＩ５０２、ＰＭＩｂ５０３、ＰＭＩｄ５０４、およびＰＭＩｐ，ｗｂ５０５は、パケット７０１において符号化され得、一方、ＰＭＩｐ，ｓｂ５０６およびＰＭＩｃ５０７は、パケット７０２において符号化され得る。ビームインジケーションベースの選択オプションが有効になっている場合、低減されたペイロードオプションが、パケット７０１のために使用され得る（ＰＭＩｐ，ｗｂ５０５は、ＰＭＩｂ５０３に依存する）。ビームインジケーションベースの選択オプションまたはワイドバンド振幅ベースの選択オプションのいずれかが有効になっているときは常に、低減されたペイロードオプションが、パケット７０２のために使用され得る。
【００７２】
[0080]図７Ｃの第３のジョイントコーディングオプションでは、３つのパケットの符号化が、調整されたＣＳＩレポート５０８における３つのパケット（パケット７０３、パケット７０４、およびパケット７０５）へのＣＳＩフィードバックコンポーネントの符号化を提供する。１つの例となるインプリメンテーションでは、ＲＩ５０２およびＰＭＩｂ５０３は、パケット７０３に符号化され、ＰＭＩｄ５０４、ＰＭＩｐ，ｗｂ５０５は、パケット７０４に符号化され、ＰＭＩｐ，ｓｂ５０６およびＰＭＩｃ５０７は、パケット７０５に符号化される。ビームインジケーションベースの選択オプションまたはワイドバンド振幅ベースの選択オプションのいずれかが有効になっているとき、ＵＥ１１５ａは、パケット７０４および７０５を符号化するために、低減されたペイロードオプションを使用し得る。
【００７３】
[0081]図７Ｃを通じて例示される別の例となるインプリメンテーションでは、ＣＳＩフィードバックコンポーネントのペアリングは、パケット７０３に単独で符号化されたＲＩ５０２、パケット７０４に符号化されたＰＭＩｂ５０３、ＰＭＩｄ５０４、およびＰＭＩｐ，ｗｂ５０５、ならびにパケット７０５に符号化されたＰＭＩｐ，ｓｂ５０６およびＰＭＩｃ５０７を含み得る。このようなインプリメンテーションでは、低減されたペイロードオプションがパケット７０５を符号化するために利用可能であるとともに、ビームインジケーションベースの選択オプションまたはワイドバンド振幅ベースの選択オプションのいずれかが有効になっているとき、パケット７０３および７０４を符号化するための固定ペイロードオプションが使用され得る。
【００７４】
[0082]図７Ａ〜図７Ｃのジョイントコーディングオプションについて説明された異なる例となるペアリングに関しては、異なるオプションの各パケットは、ジョイント符号化のための異なるＣＳＩフィードバックコンポーネントを含み得ることに留意されたい。本開示の態様は、説明された例となるペアリングのみに限定されるものではない。
【００７５】
[0083]追加の態様では、ＣＳＩ−ＲＳリソースインジケータ（ＣＲＩ）が、調整されたＣＳＩレポート５０８のＣＳＩフィードバックにジョイント符号化されることになるとき、それは、最初のパケット（例えば、それぞれ、単一のパケット７００、パケット７０１、またはパケット７０３）に配置され得る。ＣＱＩ５０１が、調整されたＣＳＩレポート５０８のＣＳＩフィードバックにおいてジョイント符号化されることになるとき、それは、最初のパケット（例えば、それぞれ、単一のパケット７００、パケット７０１、またはパケット７０３）において、または最後のパケット（例えば、それぞれ、パケット７０２またはパケット７０５において、搬送され得る。
【００７６】
[0084]当業者であれば、情報および信号は、様々な異なる技術および技法のうちの任意のものを用いて表され得ることを理解するであろう。例えば、上記の説明全体にわたって参照され得るデータ、命令、コマンド、情報、信号、ビット、シンボル、およびチップは、電圧、電流、電磁波、磁場または磁性粒子、光場または光粒子、あるいはこれらの任意の組合せによって表され得る。
【００７７】
[0085]図４の機能ブロックおよびモジュールは、プロセッサ、電子デバイス、ハードウェアデバイス、電子コンポーネント、論理回路、メモリ、ソフトウェアコード、ファームウェアコード、等、またはこれらの任意の組合せを備え得る。
【００７８】
[0086]当業者であれば、本明細書での開示に関連して説明された様々な例示的な論理ブロック、モジュール、回路、およびアルゴリズムステップは、電子ハードウェア、コンピュータソフトウェア、または両方の組合せとしてインプリメントされ得ることをさらに理解するであろう。ハードウェアおよびソフトウェアのこの互換性を明確に例示するために、様々な例示的なコンポーネント、ブロック、モジュール、回路、およびステップが、概してそれらの機能の観点から上記で説明されてきた。このような機能が、ハードウェアとしてインプリメントされるか、またはソフトウェアとしてインプリメントされるかは、特定のアプリケーションおよびシステム全体に課せられる設計制約に依存する。当業者は、特定のアプリケーションごとに多様な方法において、説明された機能をインプリメントし得るが、このようなインプリメンテーションの決定は、本開示の範囲から逸脱を引き起こしていると解釈されるべきでない。当業者はまた、本明細書で説明されたコンポーネント、方法、またはインタラクションの順序または組合せは例にすぎないこと、および、本開示の様々な態様のコンポーネント、方法、またはインタラクションは、本明細書で例示および説明されたもの以外の方法で実行または組み合わされ得ることを容易に認識するであろう。
【００７９】
[0087]本明細書での開示に関連して説明された、様々な例示的な論理ブロック、モジュールおよび回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェアコンポーネント、あるいは本明細書で説明された機能を実行するように設計されたこれらの任意の組合せを用いてインプリメントまたは実行され得る。汎用プロセッサは、マイクロプロセッサであり得るが、代替として、このプロセッサは、任意の従来のプロセッサ、コントローラ、マイクロコントローラ、またはステートマシン（state machine）であり得る。プロセッサはまた、コンピューティングデバイスの組合せ、例えば、ＤＳＰとマイクロプロセッサの組合せ、複数のマイクロプロセッサ、ＤＳＰコアと連携した１つまたは複数のマイクロプロセッサ、あるいはその他任意のこのような構成としてインプリメントされ得る。
【００８０】
[0088]本明細書での開示に関連して説明された方法またはアルゴリズムのステップは、直接ハードウェアにおいて、プロセッサによって実行されるソフトウェアモジュールにおいて、またはこれら２つの組合せにおいて具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当該技術分野において周知であるその他任意の形態の記憶媒体内に存在し得る。例示的な記憶媒体は、プロセッサが記憶媒体から情報を読み取り、また、記憶媒体に情報を書き込み得るように、プロセッサに結合される。代替として、記憶媒体は、プロセッサと一体化され得る。プロセッサおよび記憶媒体は、ＡＳＩＣ内に存在し得る。ＡＳＩＣは、ユーザ端末内に存在し得る。代替として、プロセッサおよび記憶媒体は、ユーザ端末内に個別コンポーネントとして存在し得る。
【００８１】
[0089]１つまたは複数の例示的な設計では、説明された機能は、ハードウェア、ソフトウェア、ファームウェア、またはこれらの任意の組合せでインプリメントされ得る。ソフトウェアでインプリメントされる場合、これら機能は、コンピュータ可読媒体上で、１つまたは複数の命令またはコードとして送信または記憶され得る。コンピュータ可読媒体は、１つの場所から別の場所へのコンピュータプログラムの転送を容易にする任意の媒体を含む通信媒体とコンピュータ記憶媒体との両方を含む。コンピュータ可読記憶媒体は、汎用または専用コンピュータによってアクセスされ得る任意の利用可能な媒体であり得る。限定ではなく例として、このようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、命令またはデータ構造の形で所望のプログラムコード手段を搬送または記憶するために使用され得、かつ、汎用または専用コンピュータ、あるいは汎用または専用プロセッサによってアクセスされ得る、その他任意の媒体を備え得る。また、接続は、厳密にはコンピュータ可読媒体と称され得る。例えば、ソフトウェアが、同軸ケーブル、光ファイバーケーブル、ツイストペア、またはデジタル加入者回線（ＤＳＬ）を使用して、ウェブサイト、サーバ、または他の遠隔ソースから送信される場合には、同軸ケーブル、光ファイバーケーブル、ツイストペア、またはＤＳＬは、媒体の定義に含まれる。本明細書で使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスク、およびブルーレイ（登録商標）ディスクを含み、ここでディスク（disks）は、通常磁気的にデータを再生し、一方ディスク（discs）は、レーザーを用いて光学的にデータを再生する。上記の組合せもまた、コンピュータ可読媒体の範囲内に含まれるべきである。
【００８２】
[0090]特許請求の範囲内を含め、本明細書で使用される場合、「および／または（and/or）」という用語は、２つ以上の項目の列挙において使用されるとき、列挙される項目のうちのいずれか１つが単独で用いられ得ること、または列挙される項目のうちの２つ以上の任意の組合せが用いられ得ることを意味する。例えば、ある構成が、コンポーネントＡ、Ｂ、および／またはＣを含むものとして説明される場合、その構成は、Ａのみ、Ｂのみ、Ｃのみ、ＡとＢの組合せ、ＡとＣの組合せ、ＢとＣの組合せ、またはＡとＢとＣの組合せを含み得る。また、特許請求の範囲内を含め、本明細書で使用される場合、「のうちの少なくとも１つ」で終わる項目の列挙において使用される「または（or）」は、例えば、「Ａ、Ｂ、またはＣのうちの少なくとも１つ」という列挙が、ＡまたはＢまたはＣまたはＡＢまたはＡＣまたはＢＣまたはＡＢＣ（すなわち、ＡおよびＢおよびＣ）、あるいはこれらの任意の組合せにおけるこれらの任意のものを意味するような、選言的な列挙（a disjunctive list）を示す。
【００８３】
[0091]本開示の先の説明は、いかなる当業者であっても、本開示の製造または使用を可能にするように提供される。本開示への様々な変更は、当業者には容易に明らかとなり、本明細書で定義した一般原理は、本開示の趣旨または範囲から逸脱することなく、他の変形形態に適用され得る。したがって、本開示は、本明細書で説明された例および設計に限定されるようには意図されず、本明細書で開示された原理および新規の特徴に合致する最も広い範囲を与えられることとなる。
【付録】
【００８４】
2020526063.tif 000018
【００８５】
2020526063.tif 000019
【００８６】
2020526063.tif 000020
【００８７】
2020526063.tif 000021
【００８８】
2020526063.tif 000022
【００８９】
2020526063.tif 000023
【００９０】
2020526063.tif 000024
【００９１】
2020526063.tif 000025
【００９２】
2020526063.tif 000026
【００９３】
2020526063.tif 000027
【００９４】
2020526063.tif 000028
【００９５】
2020526063.tif 000029
【００９６】
2020526063.tif 000030
【００９７】
2020526063.tif 000031
【図１】
2020526063.tif 000032
【図２】
2020526063.tif 000033
【図３】
2020526063.tif 000034
【図４】
2020526063.tif 000035
【図５】
2020526063.tif 000036
【図６】
2020526063.tif 000037
【図７Ａ】
2020526063.tif 000038
【図７Ｂ】
2020526063.tif 000039
【図７Ｃ】
2020526063.tif 000040
【図８】
2020526063.tif 000041
【国際調査報告】
2020526063.tif 000042
2020526063.tif 000043